(57)【要約】  説明される技法は、1つまたは複数の近隣のトランスミッタからの干渉を受ける可能性がより低いことがある低レイテンシ送信時間間隔(TTI)送信を実現する。基地局は、ワイヤレス送信の2つ以上のセットのためにリソースの2つ以上のセットを構成することができ、ここで低レイテンシ送信は、リソースのセットのうちの1つのすべてまたは一部分を使用して、ワイヤレス送信のセットにおいて送信されてもよい。低レイテンシ送信に利用可能なリソースのセットは、リソースの他のセットのうちの1つまたは複数と比較して低減された送信電力をもたらす電力パラメータセットと関連付けられてもよい。リソースの2つ以上のセットは、利用可能な周波数リソースの1つまたは複数のサブバンド、時間リソースの1つまたは複数のサブセット、またはこれらの組合せを含んでもよい。いくつかの場合、近隣の基地局が、低減された電力パラメータを有するリソースのセットを調整してもよい。
2020505875.tif 000002
【特許請求の範囲】
【請求項１】
ワイヤレス通信のための方法であって、
第1のワイヤレス送信のセットのための第1のリソースセットと関連付けられる第1の電力パラメータセットを特定するステップであって、前記第1のワイヤレス送信のセットが第1の持続時間送信時間間隔(TTI)を有する、ステップと、
第2のワイヤレス送信のセットの少なくとも第1のサブセットのための第2のリソースセットを示すシグナリングを受信するステップであって、前記第2のワイヤレス送信のセットが前記第1の持続時間TTIより短い第2の持続時間TTIを有し、第2の電力パラメータセットと関連付けられる前記第2のリソースセットが、前記第1の電力パラメータセットと比較して低減された電力をもたらす、ステップと、
前記第1の電力パラメータセットに従って、前記第1のリソースセットを使用して前記第1のワイヤレス送信のセットを送信するステップと、
前記第2の電力パラメータセットに従って、前記第2のリソースセットを使用して前記第2のワイヤレス送信のセットの前記少なくとも前記第1のサブセットを送信するステップと
を備える、方法。
【請求項２】
前記第2のリソースセットと同じサブフレームにおいて、前記第1の電力パラメータセットに従って前記第2のワイヤレス送信のセットの第2のサブセットを送信するステップをさらに備える、請求項1に記載の方法。
【請求項３】
前記第2の電力パラメータセットを示すシグナリングを受信するステップをさらに備える、請求項1に記載の方法。
【請求項４】
前記シグナリングが、前記第2の電力パラメータセットを示すセル固有のシグナリングまたはユーザ機器(UE)固有のシグナリングを備える、請求項3に記載の方法。
【請求項５】
前記第1のリソースセットが、前記第1のワイヤレス送信のセットを送信するための利用可能な送信帯域幅の第1のサブバンドの中の周波数リソースを備え、
前記第2のリソースセットが、前記第1のワイヤレス送信のセットを送信するための、または前記第2のワイヤレス送信のセットの前記少なくとも前記第1のサブセットを送信するための前記利用可能な送信帯域幅の第2のサブバンドの中の周波数リソースを備え、前記第2のサブバンドが前記第1のサブバンドと異なる、
請求項1に記載の方法。
【請求項６】
前記第2のリソースセットが、前記第2の電力パラメータセットを使用して、前記第1のワイヤレス送信のセットまたは前記第2のワイヤレス送信のセットの前記少なくとも前記第1のサブセットを送信するための、前記第2のサブバンド内の第1の時間リソースのサブセットをさらに備える、請求項5に記載の方法。
【請求項７】
前記第1の時間リソースのサブセットが、前記第2の持続時間TTIを有する1つまたは複数の直交周波数分割多重化(OFDM)シンボルまたは1つまたは複数のTTIを備える、請求項6に記載の方法。
【請求項８】
前記第2のリソースセットが、前記第1のワイヤレス送信のセットまたは前記第2のワイヤレス送信のセットの前記少なくとも前記第1のサブセットを送信するための、前記第1のサブバンド内の第2の時間リソースのサブセットをさらに備える、請求項6に記載の方法。
【請求項９】
前記第2の時間リソースのサブセットと関連付けられる第3の電力パラメータセットを特定するステップをさらに備える、請求項8に記載の方法。
【請求項１０】
前記第1のリソースセットが、前記利用可能な送信帯域幅の前記第1のサブバンドおよび第3のサブバンドを備え、前記方法が、前記第2のワイヤレス送信のセットの送信のみを送信するのに利用可能である確保された第3のリソースセットを特定するステップをさらに備え、確保された前記第3のリソースセットが前記利用可能な送信帯域幅の第4のサブバンドを備える、請求項5に記載の方法。
【請求項１１】
前記第1のリソースセットおよび前記第2のリソースセットの少なくとも一部分にわたるセル固有基準信号(CRS)リソースを特定するステップと、
前記CRSリソースと重複する前記第2のリソースセットの部分のための前記第1の電力パラメータセットと、前記CRSリソースと重複していない前記第2のリソースセットの部分のための前記第2の電力パラメータセットとに少なくとも部分的に基づいて、前記第2のリソースセットのためのトラフィック対パイロット比(TPR)を決定するステップと
をさらに備える、請求項1に記載の方法。
【請求項１２】
少なくとも前記第1のリソースセットの第1の部分および前記第2のリソースセットの第2の部分にわたるリソースの割振りを受信するステップと、
前記第1のリソースセットの前記第1の部分および前記第2のリソースセットの前記第2の部分と関連付けられる復調基準信号(DMRS)リソースを特定するステップと、
前記第1のリソースセットと重複する前記DMRSリソースが前記第1の電力パラメータセットを使用して送信されていることに少なくとも部分的に基づいて、前記第1のリソースセットのためのトラフィック対パイロット比(TPR)を決定し、前記第2のリソースセットと重複する前記DMRSリソースが前記第2の電力パラメータセットを使用して送信されていることに少なくとも部分的に基づいて、前記第2のリソースセットのための前記TPRを決定するステップと
をさらに備える、請求項1に記載の方法。
【請求項１３】
前記第2の電力パラメータセットを前記特定するステップが、
前記第1の電力パラメータセットの最大送信電力を特定し、かつ前記第2の電力パラメータセットのための前記最大送信電力に低減を適用するステップ、
前記第1の電力パラメータセットの第1の送信電力を特定し、かつ前記第2の電力パラメータセットの低減された第2の送信電力をもたらすようにオフセットを前記第1の送信電力に適用するステップか、
前記第1のリソースセットのための開ループまたは閉ループ電力制御パラメータの第1のセットを特定し、前記第2のリソースセットのための開ループまたは閉ループ電力制御パラメータの第2のセットを特定し、かつ開ループまたは閉ループ電力制御パラメータの前記第2のセットを前記第2のリソースセットに適用するステップか、または
前記第1のリソースセットおよび前記第2のリソースセットのための最大電力スペクトル密度(PSD)を特定し、かつ前記最大PSD以内のPSDをもたらすように前記第1のリソースセットのための第1の送信電力および前記第2のリソースセットのための第2の送信電力を選択するステップ
のうちの1つまたは複数を備える、請求項1に記載の方法。
【請求項１４】
前記第1のワイヤレス送信のセットが、ユーザ機器(UE)から基地局への第1のアップリンク送信を備え、前記第1のリソースセットが、前記第1のアップリンク送信が前記第1の電力パラメータセットを排他的に使用して送信されることをもたらすように選択される、請求項1に記載の方法。
【請求項１５】
前記第1のワイヤレス送信のセットがユーザ機器(UE)から基地局への第1のアップリンク送信を備え、前記第1のアップリンク送信のためのワイヤレスリソースが前記第1のリソースセットと前記第2のリソースセットとの両方から選択され、前記第2のリソースセットの第2の送信電力を決定するためにオフセットが前記第1のリソースセットの第1の送信電力に適用される、請求項1に記載の方法。
【請求項１６】
前記第1のリソースセットおよび前記第2のリソースセットを使用して前記第1のワイヤレス送信のセットを送信するステップと、
前記第2のワイヤレス送信のセットと関連付けられるデータが送信されるべきであることを特定するステップと、
前記第2のワイヤレス送信のセットの第2の送信を用いて、前記第1のワイヤレス送信のセットをパンクチャリングするステップと
をさらに備える、請求項1に記載の方法。
【請求項１７】
ワイヤレス通信のための方法であって、
第1のワイヤレス送信のセットのための第1のリソースセットと関連付けられる第1の電力パラメータセットを特定するステップであって、前記第1のワイヤレス送信のセットが第1の持続時間送信時間間隔(TTI)を有する、ステップと、
第2のワイヤレス送信のセットのための第2のリソースセットと関連付けられる第2の電力パラメータセットを特定するステップであって、前記第2のワイヤレス送信のセットが前記第1の持続時間TTIより短い第2の持続時間TTIを有し、前記第2の電力パラメータセットが、前記第1の電力パラメータセットと比較して低減された電力をもたらす、ステップと、
前記第1の電力パラメータセットおよび前記第2の電力パラメータセットを示すシグナリングをユーザ機器(UE)に送信するステップと
を備える、方法。
【請求項１８】
前記方法が第1の基地局において実行され、前記方法が、1つまたは複数の近隣の基地局とともに、干渉を軽減して前記第2のワイヤレス送信のセットの1つまたは複数の送信の受信の成功の可能性を高めるために、前記第2の電力パラメータセットのうちの1つまたは複数を調整するステップをさらに備える、請求項17に記載の方法。
【請求項１９】
前記第2の電力パラメータセットのうちの前記1つまたは複数を前記調整するステップが、前記第2のワイヤレス送信のセットのために利用可能な周波数領域リソースのサブセットを調整するステップを備える、請求項18に記載の方法。
【請求項２０】
前記周波数領域リソースのサブセットが、前記第2のワイヤレス送信のセットのために確保される、請求項19に記載の方法。
【請求項２１】
前記周波数領域リソースのサブセットがリソースブロック(RB)のセットを備える、請求項19に記載の方法。
【請求項２２】
前記第2の電力パラメータセットのうちの前記1つまたは複数を前記調整するステップが、前記第2のワイヤレス送信のセットのために利用可能な時間領域リソースのサブセットを調整するステップを備える、請求項18に記載の方法。
【請求項２３】
前記時間領域リソースのサブセットが、前記第2のワイヤレス送信のセットのために確保される、請求項22に記載の方法。
【請求項２４】
前記時間領域リソースのサブセットが、前記第2の持続時間TTIを有する直交周波数分割多重化(OFDM)シンボルのセットまたは1つもしくは複数のTTIを備える、請求項22に記載の方法。
【請求項２５】
前記第2の電力パラメータセットのうちの前記1つまたは複数を前記調整するステップが、前記第1の基地局および前記近隣の基地局のうちの1つまたは複数のビーム方向が異なるビーム方向となるように調整するステップを備える、請求項18に記載の方法。
【請求項２６】
前記第2の電力パラメータセットのうちの前記1つまたは複数を前記調整するステップが、ユーザ機器(UE)と前記第1の基地局との間の前記第2のワイヤレス送信のセットのアップリンク送信およびダウンリンク送信のためのアップリンクリソースとダウンリンクリソースのペアを調整するステップを備える、請求項18に記載の方法。
【請求項２７】
前記第2の電力パラメータセットのうちの前記1つまたは複数を前記調整するステップが、前記第2のリソースセットのための低減された送信電力を調整するステップを備える、請求項18に記載の方法。
【請求項２８】
前記UEから1つまたは複数のチャネル状態情報(CSI)報告を受信するステップと、
第3のリソースセットに対する干渉の量が閾値を超えることを判定するステップと、
前記第2の電力パラメータセットを前記第3のリソースセットに適用するステップと
をさらに備える、請求項17に記載の方法。
【請求項２９】
ワイヤレス通信のための装置であって、
第1のワイヤレス送信のセットのための第1のリソースセットと関連付けられる第1の電力パラメータセットを特定するための手段であって、前記第1のワイヤレス送信のセットが第1の持続時間送信時間間隔(TTI)を有する、手段と、
第2のワイヤレス送信のセットの少なくとも第1のサブセットのための第2のリソースセットを示すシグナリングを受信するための手段であって、前記第2のワイヤレス送信のセットが前記第1の持続時間TTIより短い第2の持続時間TTIを有し、第2の電力パラメータセットと関連付けられる前記第2のリソースセットが、前記第1の電力パラメータセットと比較して低減された電力をもたらす、手段と、
前記第1の電力パラメータセットに従って、前記第1のリソースセットを使用して前記第1のワイヤレス送信のセットを送信するための手段と、
前記第2の電力パラメータセットに従って、前記第2のリソースセットを使用して前記第2のワイヤレス送信のセットの前記少なくとも前記第1のサブセットを送信するための手段と
を備える、装置。
【請求項３０】
前記第2のリソースセットと同じサブフレームにおいて、前記第1の電力パラメータセットに従って前記第2のワイヤレス送信のセットの第2のサブセットを送信するための手段をさらに備える、請求項29に記載の装置。
【請求項３１】
前記第2の電力パラメータセットを示すシグナリングを受信するための手段をさらに備える、請求項29に記載の装置。
【請求項３２】
前記第1のリソースセットが、前記第1のワイヤレス送信のセットを送信するための利用可能な送信帯域幅の第1のサブバンドの中の周波数リソースを備え、
前記第2のリソースセットが、前記第1のワイヤレス送信のセットを送信するための、または前記第2のワイヤレス送信のセットの前記少なくとも前記第1のサブセットを送信するための前記利用可能な送信帯域幅の第2のサブバンドの中の周波数リソースを備え、前記第2のサブバンドが前記第1のサブバンドと異なる、
請求項29に記載の装置。
【請求項３３】
前記第1のリソースセットおよび前記第2のリソースセットの少なくとも一部分にわたるセル固有基準信号(CRS)リソースを特定するための手段と、
前記CRSリソースと重複する前記第2のリソースセットの部分のための前記第1の電力パラメータセットと、前記CRSリソースと重複していない前記第2のリソースセットの部分のための前記第2の電力パラメータセットとに少なくとも部分的に基づいて、前記第2のリソースセットのためのトラフィック対パイロット比(TPR)を決定するための手段と
をさらに備える、請求項29に記載の装置。
【請求項３４】
少なくとも前記第1のリソースセットの第1の部分および前記第2のリソースセットの第2の部分にわたるリソースの割振りを受信するための手段と、
前記第1のリソースセットの前記第1の部分および前記第2のリソースセットの前記第2の部分と関連付けられる復調基準信号(DMRS)リソースを特定するための手段と、
前記第1のリソースセットと重複する前記DMRSリソースが前記第1の電力パラメータセットを使用して送信されていることに少なくとも部分的に基づいて、前記第1のリソースセットのためのトラフィック対パイロット比(TPR)を決定し、かつ前記第2のリソースセットと重複する前記DMRSリソースが前記第2の電力パラメータセットを使用して送信されていることに少なくとも部分的に基づいて、前記第2のリソースセットのための前記TPRを決定するための手段と
をさらに備える、請求項29に記載の装置。
【請求項３５】
前記第1のワイヤレス送信のセットが、ユーザ機器(UE)から基地局への第1のアップリンク送信を備え、前記第1のリソースセットが、前記第1のアップリンク送信が前記第1の電力パラメータセットを排他的に使用して送信されることをもたらすように選択される、請求項29に記載の装置。
【請求項３６】
前記第1のワイヤレス送信のセットがユーザ機器(UE)から基地局への第1のアップリンク送信を備え、前記第1のアップリンク送信のためのワイヤレスリソースが前記第1のリソースセットと前記第2のリソースセットとの両方から選択され、前記第2のリソースセットの第2の送信電力を決定するためにオフセットが前記第1のリソースセットの第1の送信電力に適用される、請求項29に記載の装置。
【請求項３７】
前記第1のリソースセットおよび前記第2のリソースセットを使用して前記第1のワイヤレス送信のセットを送信するための手段と、
前記第2のワイヤレス送信のセットと関連付けられるデータが送信されるべきであることを特定するための手段と、
前記第2のワイヤレス送信のセットの第2の送信を用いて、前記第1のワイヤレス送信のセットをパンクチャリングするための手段と
をさらに備える、請求項29に記載の装置。
【請求項３８】
ワイヤレス通信のための装置であって、
第1のワイヤレス送信のセットのための第1のリソースセットと関連付けられる第1の電力パラメータセットを特定するための手段であって、前記第1のワイヤレス送信のセットが第1の持続時間送信時間間隔(TTI)を有する、手段と、
第2のワイヤレス送信のセットのための第2のリソースセットと関連付けられる第2の電力パラメータセットを特定するための手段であって、前記第2のワイヤレス送信のセットが前記第1の持続時間TTIより短い第2の持続時間TTIを有し、前記第2の電力パラメータセットが、前記第1の電力パラメータセットと比較して低減された電力をもたらす、手段と、
前記第1の電力パラメータセットおよび前記第2の電力パラメータセットを示すシグナリングをユーザ機器(UE)に送信するための手段と
を備える、装置。
【請求項３９】
前記手段が第1の基地局において実行され、前記手段がさらに、1つまたは複数の近隣の基地局とともに、干渉を軽減して前記第2のワイヤレス送信のセットの1つまたは複数の送信の受信の成功の可能性を高めるために、前記第2の電力パラメータセットのうちの1つまたは複数を調整するための手段を備える、請求項38に記載の装置。
【請求項４０】
前記第2の電力パラメータセットのうちの前記1つまたは複数を前記調整することが、前記第2のワイヤレス送信のセットのために利用可能な周波数領域リソースのサブセットを調整することを備える、請求項39に記載の装置。
【請求項４１】
前記第2の電力パラメータセットのうちの前記1つまたは複数を前記調整することが、前記第1の基地局および前記近隣の基地局のうちの1つまたは複数のビーム方向が異なるビーム方向となるように調整することを備える、請求項39に記載の装置。
【請求項４２】
前記第2の電力パラメータセットのうちの前記1つまたは複数を前記調整することが、ユーザ機器(UE)と前記第1の基地局との間の前記第2のワイヤレス送信のセットのアップリンク送信およびダウンリンク送信のためのアップリンクリソースとダウンリンクリソースのペアを調整することを備える、請求項39に記載の装置。
【請求項４３】
前記第2の電力パラメータセットのうちの前記1つまたは複数を前記調整することが、前記第2のリソースセットのための低減された送信電力を調整することを備える、請求項39に記載の装置。
【請求項４４】
前記UEから1つまたは複数のチャネル状態情報(CSI)報告を受信するための手段と、
第3のリソースセットに対する干渉の量が閾値を超えることを判定するための手段と、
前記第2の電力パラメータセットを前記第3のリソースセットに適用するための手段と
をさらに備える、請求項38に記載の装置。
【請求項４５】
ワイヤレス通信のための装置であって、
プロセッサと、
前記プロセッサと電子通信しているメモリと、
前記メモリに記憶された命令であって、前記装置に、
第1のワイヤレス送信のセットのための第1のリソースセットと関連付けられる第1の電力パラメータセットを特定することであって、前記第1のワイヤレス送信のセットが第1の持続時間送信時間間隔(TTI)を有する、特定することと、
第2のワイヤレス送信のセットの少なくとも第1のサブセットのための第2のリソースセットを示すシグナリングを受信することであって、前記第2のワイヤレス送信のセットが前記第1の持続時間TTIより短い第2の持続時間TTIを有し、第2の電力パラメータセットと関連付けられる前記第2のリソースセットが、前記第1の電力パラメータセットと比較して低減された電力をもたらす、受信することと、
前記第1の電力パラメータセットに従って、前記第1のリソースセットを使用して前記第1のワイヤレス送信のセットを送信することと、
前記第2の電力パラメータセットに従って、前記第2のリソースセットを使用して前記第2のワイヤレス送信のセットの前記少なくとも前記第1のサブセットを送信することと
を行わせるように前記プロセッサによって実行可能である、命令と
を備える、装置。
【請求項４６】
前記命令が、前記装置に、前記第2のリソースセットと同じサブフレームにおいて、前記第1の電力パラメータセットに従って前記第2のワイヤレス送信のセットの第2のサブセットを送信させるように、前記プロセッサによってさらに実行可能である、請求項45に記載の装置。
【請求項４７】
前記命令が、前記装置に、前記第2の電力パラメータセットを示すシグナリングを受信させるように前記プロセッサによってさらに実行可能である、請求項45に記載の装置。
【請求項４８】
前記第1のリソースセットが、前記第1のワイヤレス送信のセットを送信するための利用可能な送信帯域幅の第1のサブバンドの中の周波数リソースを備え、
前記第2のリソースセットが、前記第1のワイヤレス送信のセットを送信するための、または前記第2のワイヤレス送信のセットの前記少なくとも前記第1のサブセットを送信するための前記利用可能な送信帯域幅の第2のサブバンドの中の周波数リソースを備え、前記第2のサブバンドが前記第1のサブバンドと異なる、
請求項45に記載の装置。
【請求項４９】
前記命令が、前記装置に、
前記第1のリソースセットおよび前記第2のリソースセットの少なくとも一部分にわたるセル固有基準信号(CRS)リソースを特定させ、
前記CRSリソースと重複する前記第2のリソースセットの部分のための前記第1の電力パラメータセットと、前記CRSリソースと重複していない前記第2のリソースセットの部分のための前記第2の電力パラメータセットとに少なくとも部分的に基づいて、前記第2のリソースセットのためのトラフィック対パイロット比(TPR)を決定させる
ように、前記プロセッサによってさらに実行可能である、請求項45に記載の装置。
【請求項５０】
前記命令が、前記装置に、
少なくとも前記第1のリソースセットの第1の部分および前記第2のリソースセットの第2の部分にわたるリソースの割振りを受信させ、
前記第1のリソースセットの前記第1の部分および前記第2のリソースセットの前記第2の部分と関連付けられる復調基準信号(DMRS)リソースを特定させ、
前記第1のリソースセットと重複する前記DMRSリソースが前記第1の電力パラメータセットを使用して送信されていることに少なくとも部分的に基づいて、前記第1のリソースセットのためのトラフィック対パイロット比(TPR)を決定させ、前記第2のリソースセットと重複する前記DMRSリソースが前記第2の電力パラメータセットを使用して送信されていることに少なくとも部分的に基づいて、前記第2のリソースセットのための前記TPRを決定させる
ように、前記プロセッサによってさらに実行可能である、請求項45に記載の装置。
【請求項５１】
前記第1のワイヤレス送信のセットが、ユーザ機器(UE)から基地局への第1のアップリンク送信を備え、前記第1のリソースセットが、前記第1のアップリンク送信が前記第1の電力パラメータセットを排他的に使用して送信されることをもたらすように選択される、請求項45に記載の装置。
【請求項５２】
前記第1のワイヤレス送信のセットがユーザ機器(UE)から基地局への第1のアップリンク送信を備え、前記第1のアップリンク送信のためのワイヤレスリソースが前記第1のリソースセットと前記第2のリソースセットとの両方から選択され、前記第2のリソースセットの第2の送信電力を決定するためにオフセットが前記第1のリソースセットの第1の送信電力に適用される、請求項45に記載の装置。
【請求項５３】
前記命令が、前記装置に、
前記第1のリソースセットおよび前記第2のリソースセットを使用して前記第1のワイヤレス送信のセットを送信させ、
前記第2のワイヤレス送信のセットと関連付けられるデータが送信されるべきであることを特定させ、
前記第2のワイヤレス送信のセットの第2の送信を用いて、前記第1のワイヤレス送信のセットをパンクチャリングさせる
ように、前記プロセッサによってさらに実行可能である、請求項45に記載の装置。
【請求項５４】
ワイヤレス通信のための装置であって、
プロセッサと、
前記プロセッサと電子通信しているメモリと、
前記メモリに記憶された命令であって、前記装置に、
第1のワイヤレス送信のセットのための第1のリソースセットと関連付けられる第1の電力パラメータセットを特定することであって、前記第1のワイヤレス送信のセットが第1の持続時間送信時間間隔(TTI)を有する、特定することと、
第2のワイヤレス送信のセットのための第2のリソースセットと関連付けられる第2の電力パラメータセットを特定することであって、前記第2のワイヤレス送信のセットが前記第1の持続時間TTIより短い第2の持続時間TTIを有し、前記第2の電力パラメータセットが、前記第1の電力パラメータセットと比較して低減された電力をもたらす、特定することと、
前記第1の電力パラメータセットおよび前記第2の電力パラメータセットを示すシグナリングをユーザ機器(UE)へ送信することと
を行わせるように前記プロセッサによって実行可能である、命令と
を備える、装置。
【請求項５５】
前記命令が第1の基地局において実行され、前記命令が、前記装置に、1つまたは複数の近隣の基地局とともに、干渉を軽減して前記第2のワイヤレス送信のセットの1つまたは複数の送信の受信の成功の可能性を高めるために、前記第2の電力パラメータセットのうちの1つまたは複数を調整させるように前記プロセッサによってさらに実行可能である、請求項54に記載の装置。
【請求項５６】
前記第2の電力パラメータセットのうちの前記1つまたは複数を前記調整することが、前記第2のワイヤレス送信のセットのために利用可能な周波数領域リソースのサブセットを調整することを備える、請求項55に記載の装置。
【請求項５７】
前記第2の電力パラメータセットのうちの前記1つまたは複数を前記調整することが、前記第1の基地局および前記近隣の基地局のうちの1つまたは複数のビーム方向が異なるビーム方向となるように調整することを備える、請求項55に記載の装置。
【請求項５８】
前記第2の電力パラメータセットのうちの前記1つまたは複数を前記調整することが、ユーザ機器(UE)と前記第1の基地局との間の前記第2のワイヤレス送信のセットのアップリンク送信およびダウンリンク送信のためのアップリンクリソースとダウンリンクリソースのペアを調整することを備える、請求項55に記載の装置。
【請求項５９】
前記第2の電力パラメータセットのうちの前記1つまたは複数を前記調整することが、前記第2のリソースセットのための低減された送信電力を調整することを備える、請求項55に記載の装置。
【請求項６０】
前記命令が、前記装置に、
前記UEから1つまたは複数のチャネル状態情報(CSI)報告を受信させ、
第3のリソースセットに対する干渉の量が閾値を超えることを判定させ、
前記第2の電力パラメータセットを前記第3のリソースセットへ適用させる
ように、前記プロセッサによってさらに実行可能である、請求項54に記載の装置。
【請求項６１】
ワイヤレス通信のためのコードを記憶する非一時的コンピュータ可読記憶媒体であって、前記コードが、
第1のワイヤレス送信のセットのための第1のリソースセットと関連付けられる第1の電力パラメータセットを特定することであって、前記第1のワイヤレス送信のセットが第1の持続時間送信時間間隔(TTI)を有する、特定することと、
第2のワイヤレス送信のセットの少なくとも第1のサブセットのための第2のリソースセットを示すシグナリングを受信することであって、前記第2のワイヤレス送信のセットが前記第1の持続時間TTIより短い第2の持続時間TTIを有し、第2の電力パラメータセットと関連付けられる前記第2のリソースセットが、前記第1の電力パラメータセットと比較して低減された電力をもたらす、受信することと、
前記第1の電力パラメータセットに従って、前記第1のリソースセットを使用して前記第1のワイヤレス送信のセットを送信することと、
前記第2の電力パラメータセットに従って、前記第2のリソースセットを使用して前記第2のワイヤレス送信のセットの前記少なくとも前記第1のサブセットを送信することと
を行うように実行可能な命令を備える、非一時的コンピュータ可読記憶媒体。
【請求項６２】
ワイヤレス通信のためのコードを記憶する非一時的コンピュータ可読記憶媒体であって、前記コードが、
第1のワイヤレス送信のセットのための第1のリソースセットと関連付けられる第1の電力パラメータセットを特定することであって、前記第1のワイヤレス送信のセットが第1の持続時間送信時間間隔(TTI)を有する、特定することと、
第2のワイヤレス送信のセットのための第2のリソースセットと関連付けられる第2の電力パラメータセットを特定することであって、前記第2のワイヤレス送信のセットが前記第1の持続時間TTIより短い第2の持続時間TTIを有し、前記第2の電力パラメータセットが、前記第1の電力パラメータセットと比較して低減された電力をもたらす、特定することと、
前記第1の電力パラメータセットおよび第2の電力パラメータセットを示すシグナリングをユーザ機器(UE)に送信することと
を行うように実行可能な命令を備える、非一時的コンピュータ可読記憶媒体。
【発明の詳細な説明】
【技術分野】
【０００１】
相互参照
本特許出願は、各々が本出願の譲受人に譲渡される、2018年2月2日に出願された"Resource Management For Low Latency Wireless Communications"と題する、Chenらによる米国特許出願第15/887,849号、および2017年2月6日に出願された"Resource Management For Low Latency Wireless Communications"と題する、Chenらによる米国仮特許出願第62/455,404号の優先権を主張する。
【０００２】
以下は、全般にワイヤレス通信に関し、より具体的には、低レイテンシワイヤレス通信のためのリソース管理に関する。
【背景技術】
【０００３】
ワイヤレス多元接続技術は、異なるワイヤレスデバイスが都市、国家、地域、さらには地球規模で通信することを可能にする共通プロトコルを提供するために、異なる電気通信規格において採用されている。例示的な電気通信規格はLong Term Evolution (LTE)である。LTEは、スペクトル効率を改善し、コストを下げ、サービスを改善し、新たなスペクトルを利用し、他のオープン規格とより良く統合するように設計されている。LTEは、ダウンリンク(DL)上で直交周波数分割多元接続(OFDMA)を使用し、アップリンク(UL)上でシングルキャリア周波数分割多元接続(SC-FDMA)を使用し、多入力多出力(MIMO)アンテナ技術を使用してもよい。
【０００４】
いくつかの例では、ワイヤレス多元接続通信システムは、ユーザ機器(UE)としても知られる複数の通信デバイスのための通信を各々が同時にサポートする、いくつかの基地局を含んでもよい。LTEまたはLTE-Advanced(LTE-A)ネットワークでは、1つまたは複数の基地局のセットがeNodeB(eNB)を定義してもよい。(たとえば、次世代new radio(NR)または5Gネットワークにおける)他の例では、ワイヤレス多元接続通信システムは、いくつかのアクセスノードコントローラ(ANC)と通信しているいくつかのスマートラジオヘッド(RH)を含むことがあり、ここでANCと通信している1つまたは複数のRHのセットが、基地局(たとえば、eNBまたはgNB)を定義する。基地局は、DLチャネル(すなわち、基地局からUEへの送信のための)およびULチャネル(すなわち、UEから基地局への送信のための)上でUEのセットと通信してもよい。
【０００５】
一部のLTEまたはNRの展開における基地局は、一部の送信時間間隔(TTI)(たとえば、レガシーのTTIまたはLTE TTI)と比較して長さが低減されてもよい異なる長さのTTIを使用して1つまたは複数のUEに送信してもよい。そのような低減された長さのTTIは、短縮TTI(sTTI)と呼ばれることがあり、低レイテンシとともに低レイテンシサービスのワイヤレス送信のための高い信頼性をもたらすいくつかの低レイテンシサービスをサポートすることがある。sTTIは、レガシーTTIサブフレームに相当する1つまたは複数のサブフレームのサブセットであってもよい。基地局は、時間リソースおよび周波数リソースを含んでもよい、sTTIのための送信リソースをUEに割り振ってもよい。いくつかの場合、sTTI送信の信頼性は、他の非低レイテンシ送信と比較して高められることがあるので、sTTI送信は干渉に対してより敏感であってもよい。
【発明の概要】
【課題を解決するための手段】
【０００６】
説明される技法は、低レイテンシ通信のためのリソース管理をサポートする、改善された方法、システム、デバイス、または装置に関する。一般に、説明される技法は、1つまたは複数の近隣のトランスミッタからの干渉を受ける可能性がより低いことがある、低レイテンシ送信時間間隔(TTI)送信を実現する。基地局は、ワイヤレス送信の2つ以上のセットのためにリソースの2つ以上のセットを構成することができ、ここで低レイテンシ送信は、リソースのセットのうちの1つのすべてまたは一部分を使用して、ワイヤレス送信のセットにおいて送信されてもよい。いくつかの場合、低レイテンシ送信に利用可能なリソースのセットは、リソースの他のセットのうちの1つまたは複数と比較して低減された送信電力をもたらす電力パラメータセットと関連付けられてもよい。リソースの2つ以上のセットは、利用可能な周波数リソースの1つまたは複数のサブバンド、時間リソースの1つまたは複数のサブセット、またはこれらの組合せを含んでもよい。いくつかの場合、近隣の基地局が、低減された電力パラメータを有するリソースのセットを調整してもよい。
【０００７】
ワイヤレス通信の方法が説明される。本方法は、第1のワイヤレス送信のセットのための第1のリソースセットと関連付けられる第1の電力パラメータセットを特定するステップであって、第1のワイヤレス送信のセットが第1の持続時間TTIを有する、ステップと、第2のワイヤレス送信のセットの少なくとも第1のサブセットのための第2のリソースセットを示すシグナリングを受信するステップであって、第2のワイヤレス送信のセットが第1の持続時間TTIより短い第2の持続時間TTIを有し、第2のリソースセットが、第1の電力パラメータセットと比較して低減された電力をもたらす第2の電力パラメータセットと関連付けられる、ステップと、第1の電力パラメータセットに従って、第1のリソースセットを使用して第1のワイヤレス送信のセットを送信するステップと、第2の電力パラメータセットに従って、第2のリソースセットを使用して第2のワイヤレス送信のセットの少なくとも第1のサブセットを送信するステップとを含んでもよい。
【０００８】
ワイヤレス通信のための装置が説明される。本装置は、第1のワイヤレス送信のセットのための第1のリソースセットと関連付けられる第1の電力パラメータセットを特定するための手段であって、第1のワイヤレス送信のセットが第1の持続時間TTIを有する、手段と、第2のワイヤレス送信のセットの少なくとも第1のサブセットのための第2のリソースセットを示すシグナリングを受信するための手段であって、第2のワイヤレス送信のセットが第1の持続時間TTIより短い第2の持続時間TTIを有し、第2のリソースセットが、第1の電力パラメータセットと比較して低減された電力をもたらす第2の電力パラメータセットと関連付けられる、手段と、第1の電力パラメータセットに従って、第1のリソースセットを使用して第1のワイヤレス送信のセットを送信するための手段と、第2の電力パラメータセットに従って、第2のリソースセットを使用して第2のワイヤレス送信のセットの少なくとも第1のサブセットを送信するための手段とを含んでもよい。
【０００９】
ワイヤレス通信のための別の装置が説明される。本装置は、プロセッサと、プロセッサと電子通信しているメモリと、メモリの中に記憶された命令とを含んでもよい。命令は、プロセッサに、第1のワイヤレス送信のセットのための第1のリソースセットと関連付けられる第1の電力パラメータセットを特定させ、第1のワイヤレス送信のセットが第1の持続時間TTIを有し、第2のワイヤレス送信のセットの少なくとも第1のサブセットのための第2のリソースセットを示すシグナリングを受信させ、第2のワイヤレス送信のセットが第1の持続時間TTIより短い第2の持続時間TTIを有し、第2のリソースセットが、第1の電力パラメータセットと比較して低減された電力をもたらす第2の電力パラメータセットと関連付けられ、第1の電力パラメータセットに従って、第1のリソースセットを使用して第1のワイヤレス送信のセットを送信させ、第2の電力パラメータセットに従って、第2のリソースセットを使用して第2のワイヤレス送信のセットの少なくとも第1のサブセットを送信させるように動作可能であってもよい。
【００１０】
ワイヤレス通信のための非一時的コンピュータ可読媒体が説明される。非一時的コンピュータ可読媒体は、プロセッサに、第1のワイヤレス送信のセットのための第1のリソースセットと関連付けられる第1の電力パラメータセットを特定させ、第1のワイヤレス送信のセットが第1の持続時間TTIを有し、第2のワイヤレス送信のセットの少なくとも第1のサブセットのための第2のリソースセットを示すシグナリングを受信させ、第2のワイヤレス送信のセットが第1の持続時間TTIより短い第2の持続時間TTIを有し、第2のリソースセットが、第1の電力パラメータセットと比較して低減された電力をもたらす第2の電力パラメータセットと関連付けられ、第1の電力パラメータセットに従って、第1のリソースセットを使用して第1のワイヤレス送信のセットを送信させ、第2の電力パラメータセットに従って、第2のリソースセットを使用して第2のワイヤレス送信のセットの少なくとも第1のサブセットを送信させるように動作可能な、命令を含んでもよい。
【図面の簡単な説明】
【００１１】
【図１】本開示の態様による、低レイテンシワイヤレス通信のためのリソース管理をサポートするワイヤレス通信のためのシステムの例を示す図である。
【図２】本開示の態様による、低レイテンシワイヤレス通信のためのリソース管理をサポートするワイヤレス通信システムの例を示す図である。
【図３】本開示の態様による、低レイテンシワイヤレス通信のためのリソース管理をサポートする短縮送信時間間隔(sTTI)構造の例を示す図である。
【図４】本開示の態様による、低レイテンシワイヤレス通信のためのリソース管理をサポートするワイヤレスリソースのセットの例を示す図である。
【図５】本開示の態様による、低レイテンシワイヤレス通信のためのリソース管理をサポートするプロセスフローの例を示す図である。
【図６】本開示の態様による、低レイテンシワイヤレス通信のためのリソース管理をサポートするプロセスフローの例を示す図である。
【図７】本開示の態様による、低レイテンシワイヤレス通信のためのリソース管理をサポートするワイヤレスデバイスのブロック図である。
【図８】本開示の態様による、低レイテンシワイヤレス通信のためのリソース管理をサポートするワイヤレスデバイスのブロック図である。
【図９】本開示の態様による、低レイテンシワイヤレス通信のためのリソース管理をサポートするユーザ機器(UE)リソースマネージャのブロック図である。
【図１０】本開示の態様による、低レイテンシワイヤレス通信のためのリソース管理をサポートするデバイスを含むシステムのブロック図である。
【図１１】本開示の態様による、低レイテンシワイヤレス通信のためのリソース管理をサポートするワイヤレスデバイスのブロック図である。
【図１２】本開示の態様による、低レイテンシワイヤレス通信のためのリソース管理をサポートするワイヤレスデバイスのブロック図である。
【図１３】本開示の態様による、低レイテンシワイヤレス通信のためのリソース管理をサポートする基地局リソースマネージャのブロック図である。
【図１４】本開示の態様による、低レイテンシワイヤレス通信のためのリソース管理をサポートするデバイスを含むシステムのブロック図である。
【図１５】本開示の態様による、低レイテンシワイヤレス通信のためのリソース管理の方法を示すフローチャートである。
【図１６】本開示の態様による、低レイテンシワイヤレス通信のためのリソース管理の方法を示すフローチャートである。
【図１７】本開示の態様による、低レイテンシワイヤレス通信のためのリソース管理の方法を示すフローチャートである。
【図１８】本開示の態様による、低レイテンシワイヤレス通信のためのリソース管理の方法を示すフローチャートである。
【図１９】本開示の態様による、低レイテンシワイヤレス通信のためのリソース管理の方法を示すフローチャートである。
【発明を実施するための形態】
【００１２】
説明される技法は、一部の低レイテンシ送信の信頼性を高めるように、異なる電力パラメータを有してもよいリソースのセットをもたらしてもよい低レイテンシ通信のためのリソース管理をサポートする、改善された方法、システム、または装置に関する。一部の送信は、アップリンク送信またはダウンリンク送信のために短縮送信時時間間隔TTI(sTTI)を使用することがあり、ここでsTTIの長さは、レガシーのLong Term Evolution(LTE)サブサブフレームすなわち1msの送信時間間隔(TTI)より短いことがある。いくつかの場合、基地局は、第1の電力パラメータセットを有する第1のリソースセットと、第1の電力パラメータセットと比較して低減された第2の電力パラメータセットを有する第2のリソースセットとを構成してもよい。基地局の各々が第2の電力パラメータセットを用いて第2のリソースセットを構成するように、基地局は1つまたは複数の近隣の基地局と協調することができる。低レイテンシ送信は、第2のリソースセットを使用して送信されることがあり、したがって、第1のリソースセットを使用した送信の潜在的なセル間干渉と比較して低減された、近隣の基地局の送信からのセル間干渉を有することがある。第2のリソースセットは、利用可能な周波数リソースの1つまたは複数のサブバンド、時間リソースの1つまたは複数のサブセット、またはこれらの組合せを含んでもよい。
【００１３】
本明細書で提供される異なる例は、第1の電力パラメータセットと比較して低減された第2の電力パラメータセットを第2のリソースセットが有することをもたらすが、本明細書で提供される原理は、第2のリソースセットが第1の電力パラメータセットと比較して増大された電力パラメータを有する場合にも適用され、本明細書で論じられる技法は、第1の電力パラメータセットと比較して増大された電力パラメータを有する第2のリソースセットを提供するために使用されることがある。
【００１４】
sTTI送信に割り振られるリソースは、1ms(すなわち、レガシーLTE)のTTI持続時間を使用してもよいenhanced mobile broadband(eMBB)送信などの比較的レイテンシの影響を受けないことがある通信と比較して、低レイテンシ通信とも呼ばれる比較的レイテンシに敏感なアップリンク通信および/またはダウンリンク通信に使用されてもよい。いくつかの場合、sTTIの持続時間は、たとえばワイヤレスサブフレームの1つのスロット、または2つもしくは3つの直交周波数分割多重化(OFDM)シンボルに相当することがあり、1ms TTIの持続時間は、1msサブフレームの持続時間に相当することがある。
【００１５】
そのような低レイテンシ通信は、たとえばデータ通信のための複数の異なるサービスをサポートしてもよいシステムにおいて使用されてもよい。そのような異なるサービスは、通信の性質に応じて選択されてもよい。たとえば、低レイテンシおよび高信頼性を必要とする通信は、ミッションクリティカル(MiCr)通信と呼ばれることがあり、sTTIを使用しレイテンシがより低いサービス(たとえば、超高信頼低レイテンシ通信(URLLC:ultra-reliable low-latency communication)サービス)を通じてサービスされてもよい。それに対応して、より遅延に寛容な通信は、1ms TTIを使用するモバイルブロードバンドサービス(たとえば、eMBBサービス)などのいくぶん高いレイテンシを伴って比較的高いスループットをもたらすサービスを通じてサービスされてもよい。他の例では、通信は、他のデバイス(たとえば、メーター、車両、機器、機械類など)の中に組み込まれているユーザ機器(UE)との通信であってもよく、そのような通信のためにマシンタイプ通信(MTC:machine-type communication)サービス(たとえば、マッシブMTC(mMTC:massive MTC))が使用されてもよい。いくつかの場合、異なるサービス(たとえば、eMBB、URLLC、mMTC)は、異なるTTI、異なるサブキャリア(またはトーン)間隔、および異なるサイクリックプレフィックスを有してもよい。
【００１６】
本開示は、高帯域幅の動作、より動的なサブフレーム/スロットタイプ、および(サブフレーム/スロットのためのハイブリッドARQ(HARQ)フィードバックが、サブフレーム/スロットの終わりの前に送信されてもよい)自己完結型のサブフレーム/スロットタイプなどの特徴をサポートするように設計された4Gネットワーク(たとえば、LTEネットワーク)および次世代ネットワーク(たとえば、5GまたはNRネットワーク)を参照して、異なる技法を説明する。しかしながら、そのような技法は、異なる長さのTTIがワイヤレス通信システムにおいて送信されてもよい任意のシステムのために使用されてもよい。
【００１７】
異なる例において説明される技法は、第1のワイヤレス送信のセットのための第1のリソースセットと関連付けられる第1の電力パラメータセットを特定することを規定し、第1のワイヤレス送信のセットは、1ms TTIであってもよい第1の持続時間TTIを有する。sTTI第2のワイヤレス送信のセットの少なくとも第1のサブセットのための第2のリソースセットを示してもよいシグナリングが、基地局からUEに提供されてもよい。第2のリソースセットは、第1の電力パラメータセットと比較して低減された電力をもたらす第2の電力パラメータセットと関連付けられてもよい。UEまたは基地局などのトランスミッタは、第1の電力パラメータセットに従って第1のリソースセットを使用して第1のワイヤレス送信のセットを送信し、第2の電力パラメータセットに従って第2のリソースセットを使用して第2のワイヤレス送信のセットの少なくとも第1のサブセットを送信してもよい。
【００１８】
いくつかの場合、第2のリソースセットのリソースを使用する送信の第2のセットの送信は、セル間の干渉の可能性または量が低下してもよいので、レシーバにおける受信の成功の可能性がより高くなってもよい。したがって、本明細書で論じられる技法は、相対的により高い信頼性をもたらすことができ、このことは一部の4Gおよび5Gシステムにおいて目標とされているような32バイトパケットに対して1msの期間内において10-5のエラーレートという信頼性を達成するのを助けることができる。
【００１９】
本開示の態様はまず、ワイヤレス通信システムの文脈で説明される。リソースの異なるsTTI構造およびセットが次いで説明される。本開示の態様は、低レイテンシワイヤレス通信のためのリソース管理に関する装置図、システム図、およびフローチャートによってさらに示され、それらを参照して説明される。
【００２０】
図1は、本開示の態様による、低レイテンシワイヤレス通信のためのリソース管理をサポートするワイヤレス通信システム100の例を示す。ワイヤレス通信システム100は、基地局105と、UE115と、コアネットワーク130とを含む。いくつかの例では、ワイヤレス通信システム100は、LTE(または、LTE-Advanced(LTE-A))ネットワーク、またはNew Radio(NR)ネットワークであってもよい。いくつかの場合、ワイヤレス通信システム100は、拡張ブロードバンド通信、超高信頼性(すなわち、ミッションクリティカルまたはURLLC)通信、低レイテンシ通信、および低コストで低複雑度のデバイスとの通信をサポートしてもよい。ワイヤレス通信システム100は、sTTI構造およびリソース電力管理がより信頼性の高いsTTI送信を可能にしてもよいようなワイヤレス送信を実現してもよい。
【００２１】
基地局105は、1つまたは複数の基地局アンテナを介してUE115とワイヤレスに通信することができる。各基地局105は、それぞれの地理的カバレッジエリア110に通信カバレッジを提供することができる。ワイヤレス通信システム100に示される通信リンク125は、UE115から基地局105へのアップリンク(UL)送信、または基地局105からUE115へのダウンリンク(DL)送信を含んでもよい。制御情報およびデータは、異なる技法に従ってアップリンクチャネルまたはダウンリンクチャネル上で多重化されてもよい。制御情報およびデータは、たとえば時分割多重(TDM)技法、周波数分割多重(FDM)技法、またはハイブリッドTDM-FDM技法を使用して、ダウンリンクチャネル上で多重化されてもよい。いくつかの例では、ダウンリンクチャネルのTTIの間に送信される制御情報は、カスケード方式で異なる制御領域の間で(たとえば、共通制御領域と1つまたは複数のUE固有制御領域との間で)分散されてもよい。
【００２２】
UE115はワイヤレス通信システム100全体にわたって分散していることがあり、各UE115は固定式または移動式であってもよい。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、移動加入者局、アクセス端末、モバイル端末、ワイヤレス端末、リモート端末、ハンドセット、ユーザエージェント、モバイルクライアント、クライアント、または何らかの他の好適な用語で呼ばれることもある。UE115はまた、携帯電話、携帯情報端末(PDA)、ワイヤレスモデム、ワイヤレス通信デバイス、ハンドヘルドデバイス、タブレットコンピュータ、ラップトップコンピュータ、コードレス電話、個人向け電子デバイス、ハンドヘルドデバイス、パーソナルコンピュータ、ワイヤレスローカルループ(WLL)局、Internet of things(IoT)デバイス、Internet of Everything(IoE)デバイス、MTCデバイス、家電機器、自動車などであってもよい。
【００２３】
いくつかの場合、UE115はまた、(たとえば、ピアツーピア(P2P)プロトコルまたはデバイスツーデバイス(D2D)プロトコルを使用して)他のUEと直接通信することが可能であってもよい。D2D通信を利用するUE115のグループのうちの1つまたは複数は、セルの地理的カバレッジエリア110内にあってもよい。そのようなグループ内の他のUE115は、セルのカバレッジエリア110の外にあるか、またはそうでなければ基地局105からの送信を受信できないことがある。いくつかの場合、D2D通信を介して通信するUE115のグループは、各UE115がグループの中のすべての他のUE115に送信する1対多(1:M)システムを利用してもよい。いくつかの場合、基地局105は、D2D通信のためのリソースのスケジューリングを容易にする。他の場合には、D2D通信は、基地局105とは無関係に実行される。
【００２４】
MTCまたはIoTデバイスなどのいくつかのUE115は、低コストまたは低複雑度のデバイスであることがあり、機械間の自動化された通信、すなわちマシンツーマシン(M2M)通信を実現することがある。M2MまたはMTCは、人が介在することなく、デバイスが相互にまたは基地局と通信することを可能にするデータ通信技術を指してもよい。たとえば、M2MまたはMTCは、センサまたはメーターを組み込んで情報を測定または捕捉し、その情報を利用することができる中央サーバまたはアプリケーションプログラムにその情報を中継するか、またはプログラムもしくはアプリケーションと対話する人間に情報を提示する、デバイスからの通信を指してもよい。いくつかのUE115は、情報を収集するように、または機械の自動化された動作を可能にするように設計されてもよい。MTCデバイスの用途の例には、スマートメータリング、在庫モニタリング、水位モニタリング、機器モニタリング、医療モニタリング、野生生物モニタリング、天候および地質学的事象モニタリング、船団管理および追跡、リモートセキュリティ検知、物理的アクセス制御、ならびに取引ベースのビジネス課金がある。
【００２５】
いくつかの場合、MTCデバイスは、低減されたピークレートで半二重(一方向)通信を使用して動作してもよい。MTCデバイスはまた、アクティブな通信に関与していないとき、電力を節約する「ディープスリープ」モードに入るように構成されてもよい。いくつかの場合、MTCまたはIoTデバイスはミッションクリティカル機能をサポートするように設計されることがあり、ワイヤレス通信システムはこれらの機能のために超高信頼性通信を提供するように構成されることがある。
【００２６】
基地局105は、コアネットワーク130と、また互いに通信してもよい。たとえば、基地局105は、バックホールリンク132(たとえば、S1など)を通じてコアネットワーク130とインターフェースしてもよい。基地局105は、バックホールリンク134(たとえば、X2など)を通じて直接、または間接的に(たとえば、コアネットワーク130を通じて)のいずれかで、互いに通信することができる。基地局105は、UE115との通信のための無線構成およびスケジューリングを実行することがあり、または基地局コントローラ(図示せず)の制御下で動作することがある。いくつかの例では、基地局105は、マクロセル、スモールセル、ホットスポットなどであってもよい。基地局105は、eNodeB(eNB)105と呼ばれることもある。
【００２７】
基地局105は、S1インターフェースによってコアネットワーク130に接続されてもよい。コアネットワークは、evolved packet core(EPC)であることがあり、EPCは、少なくとも1つのモビリティ管理エンティティ(MME)と、少なくとも1つのS-GWと、少なくとも1つのP-GWとを含んでもよい。MMEは、UE115とEPCとの間のシグナリングを処理する制御ノードであってもよい。すべてのユーザインターネットプロトコル(IP)パケットは、それ自体がP-GWに接続されてもよいS-GWを通じて転送されてもよい。P-GWは、IPアドレス割振りならびに他の機能を提供してもよい。P-GWは、ネットワーク事業者のIPサービスに接続されてもよい。事業者のIPサービスは、インターネット、イントラネット、IPマルチメディアサブシステム(IMS)、およびパケット交換(PS)ストリーミングサービス(PSS)を含んでもよい。
【００２８】
コアネットワーク130は、ユーザ認証、アクセス許可、トラッキング、IP接続性、および他のアクセス機能、ルーティング機能、またはモビリティ機能を提供してもよい。基地局105などのネットワークデバイスのうちの少なくともいくつかは、アクセスネットワークエンティティなどのサブコンポーネントを含むことがあり、アクセスネットワークエンティティは、アクセスノードコントローラ(ANC)の例であることがある。各アクセスネットワークエンティティは、1つまたは複数の他のアクセスネットワーク送信エンティティを通じていくつかのUE115と通信することができ、アクセスネットワーク送信エンティティの各々は、スマートラジオヘッドまたは送信/受信ポイント(TRP)の例であってもよい。いくつかの構成では、各アクセスネットワークエンティティまたは基地局105の異なる機能が、異なるネットワークデバイス(たとえば、ラジオヘッドおよびアクセスネットワークコントローラ)にわたって分散され、または単一のネットワークデバイス(たとえば、基地局105)に統合されることがある。
【００２９】
ワイヤレス通信システム100は、700MHzから2600MHz(2.6GHz)の周波数帯域を使用する超高周波(UHF)周波数領域で動作してもよいが、いくつかの場合、ワイヤレスローカルエリアネットワーク(WLAN)ネットワークは、4GHzほどの高い周波数を使用してもよい。この領域は、デシメートル帯域として知られることもあり、その理由は、波長が約1デシメートルから1メートルの長さに及ぶからである。UHF波は、主に見通し線によって伝搬することができ、建物および環境的な地物によって遮蔽されてもよい。しかしながら、これらの波は、屋内に位置するUE115にサービスを提供するのに十分に壁を貫通してもよい。UHF波の送信は、スペクトルの高周波(HF)または超高周波(VHF)部のうちのより小さい周波数(および、より長い波)を使用する送信と比較して、アンテナがより小さいことおよび距離がより短いこと(たとえば、100km未満)によって特徴付けられる。いくつかの場合、ワイヤレス通信システム100は、スペクトルの極端に高い周波数(EHF)部(たとえば、30GHz〜300GHz)を利用することもできる。この領域は、ミリメートル帯域として知られることもあり、その理由は、波長が約1ミリメートルから1センチメートルの長さに及ぶからである。したがって、EHFアンテナは、UHFアンテナよりもさらに小型であり、より間隔が密であってもよい。いくつかの場合、これはUE115内での(たとえば、指向性ビームフォーミングのための)アンテナアレイの使用を容易にしてもよい。
【００３０】
いくつかの場合、ワイヤレス通信システム100は、階層化プロトコルスタックに従って動作するパケットベースネットワークであってもよい。ユーザプレーンでは、ベアラまたはパケットデータコンバージェンスプロトコル(PDCP)レイヤにおける通信は、IPベースであってもよい。いくつかの場合、無線リンク制御(RLC)レイヤは、論理チャネルを介して通信するために、パケットのセグメント化および再アセンブリを実行してもよい。媒体アクセス制御(MAC)レイヤは、優先度処理、およびトランスポートチャネルへの論理チャネルの多重化を実行してもよい。MACレイヤはまた、MACレイヤにおいて再送信を行ってリンク効率を改善するためにHARQを使用してもよい。制御プレーンでは、無線リソース制御(RRC)プロトコルレイヤは、ユーザプレーンデータのための無線ベアラをサポートする、UE115とネットワークデバイスまたはコアネットワーク130との間のRRC接続の確立、構成、および保守を行ってもよい。物理(PHY)レイヤにおいて、トランスポートチャネルが物理チャネルにマッピングされてもよい。
【００３１】
LTEまたはNRにおける時間間隔は、(Ts=1/30,720,000秒のサンプリング周期であってもよい)基本時間単位の倍数で表されてもよい。時間リソースは、0から1023にわたるシステムフレーム番号(SFN)によって識別されてもよい、10ms(Tf=307200Ts)の長さの無線フレームに従って編成されてもよい。各フレームは、0から9の番号を付けられた10個の1msサブフレームを含んでもよい。サブフレームはさらに、2つの0.5msスロットに分割されることがあり、スロットの各々は、(各シンボルの先頭に付加されたサイクリックプレフィックスの長さに応じて)6個または7個の変調シンボル期間を含む。サイクリックプレフィックスを除いて、各シンボルは2048個のサンプル期間を含む。いくつかの場合、サブフレームは、TTIとしても知られる最小のスケジューリング単位であってもよい。他の場合には、TTIは、サブフレーム(たとえば、sTTI)よりも短いことがあり、または(たとえば、短いTTIバーストにおいて、もしくは短いTTIを使用する選択されたコンポーネントキャリアにおいて)動的に選択されることがある。
【００３２】
リソース要素は、1つのシンボル期間および1つのサブキャリア(たとえば、15kHz周波数範囲)からなってもよい。リソースブロックは、周波数領域において12個の連続するサブキャリアを含み、各OFDMシンボル中のノーマルサイクリックプレフィックスについて、時間領域(1スロット)において7個の連続するOFDMシンボル、または84個のリソース要素を含んでもよい。各リソース要素によって搬送されるビット数は、変調方式(変調およびコーディング方式(MCS)とも呼ばれてもよい、各シンボル期間の間に選択されてもよいシンボルの構成)に依存してもよい。したがって、UEが受信するリソースブロックが多いほど、また変調方式が高いほど、データレートは高くなってもよい。
【００３３】
ワイヤレス通信システム100は、複数のセルまたはキャリア上での動作、すなわちキャリアアグリゲーション(CA)またはマルチキャリア動作と呼ばれることがある特徴をサポートしてもよい。キャリアはまた、コンポーネントキャリア(CC)、レイヤ、チャネルなどとも呼ばれてもよい。「キャリア」、「コンポーネントキャリア」、「セル」、および「チャネル」という用語は、本明細書では互換的に使用されてもよい。UE115は、キャリアアグリゲーションのために、複数のダウンリンクCCおよび1つまたは複数のアップリンクCCで構成されてもよい。キャリアアグリゲーションは、周波数分割複信(FDD)コンポーネントキャリアと時分割複信(TDD)コンポーネントキャリアとの両方を用いて使用されてもよい。
【００３４】
いくつかの場合、ワイヤレス通信システム100は、拡張コンポーネントキャリア(eCC)を利用してもよい。eCCは、より広い帯域幅、より短いシンボル持続時間、より短いTTI、および修正された制御チャネル構成を含む、1つまたは複数の特徴によって特徴付けられてもよい。いくつかの場合、eCCは、キャリアアグリゲーション構成またはデュアル接続構成(たとえば、複数のサービングセルが準最適なまたは非理想的なバックホールリンクを有するとき)と関連付けられてもよい。eCCはまた、(2つ以上の事業者がスペクトルを使用することを許可される場合)免許不要スペクトルまたは共有スペクトルにおいて使用するために構成されてもよい。広い帯域幅によって特徴付けられるeCCは、全帯域幅を監視することが可能でないか、または(たとえば、電力を節約するために)限られた帯域幅を使用することを選好する、UE115によって利用されてもよい1つまたは複数のセグメントを含んでもよい。いくつかの場合、eCCは、他のCCとは異なるシンボル持続時間を利用することがあり、これは他のCCのシンボル持続時間と比較して短縮されたシンボル持続時間の使用を含んでもよい。より短いシンボル持続時間は、サブキャリア間隔の増大と関連付けられてもよい。eCC中のTTIは、1つまたは複数のシンボルからなってもよい。いくつかの場合、TTI持続時間(すなわち、TTI中のシンボルの数)は可変であってもよい。
【００３５】
いくつかの場合、ワイヤレスシステム100は、免許無線周波数スペクトル帯域と免許不要無線周波数スペクトル帯域との両方を使用してもよい。たとえば、ワイヤレスシステム100は、5GHz Industrial, Scientific, and Medical(ISM)帯域などの免許不要帯域においてLTE License Assisted Access(LTE-LAA)もしくはLTE Unlicensed(LTE U)無線アクセス技術またはNR技術(NR-SS)を利用してもよい。免許不要無線周波数スペクトル帯域において動作するとき、基地局105およびUE115などのワイヤレスデバイスは、データを送信する前にチャネルがクリアであることを保証するためにlisten-before-talk(LBT)手順を利用してもよい。いくつかの場合、免許不要帯域における動作は、免許帯域において動作するCCと連携したキャリアアグリゲーション(CA)構成に基づいてもよい。免許不要スペクトルにおける動作は、ダウンリンク送信、アップリンク送信、またはそとの両方を含んでもよい。免許不要スペクトルにおける複信は、FDD、TDD、またはその両方の組合せに基づいてもよい。
【００３６】
上で示されたように、いくつかの場合、基地局105およびUE115は、ワイヤレス送信のためにリソースの2つ以上のセットを使用してもよい。いくつかの場合、第1の電力パラメータセットはワイヤレス第1のリソースセットと関連付けられることがあり、第2の電力パラメータセットはワイヤレス第2のリソースセットと関連付けられることがあり、第2の電力パラメータセットは第1の電力パラメータセットと比較して低減された送信電力をもたらす。基地局の各々がリソースの1つまたは複数の他のセットと比較して電力の低減された送信を用いて第2のリソースセットを構成するように、複数の近隣の基地局が協調してもよい。低レイテンシ送信は、第2のリソースセットを使用して送信されることがあり、したがって、第1のリソースセットを使用した送信の潜在的なセル間干渉と比較して低減された、近隣の基地局の送信からのセル間干渉を有することがある。第2のリソースセットは、利用可能な周波数リソースの1つまたは複数のサブバンド、時間リソースの1つまたは複数のサブセット、またはこれらの組合せを含んでもよい。
【００３７】
図2は、本開示の態様による、低レイテンシワイヤレス通信のためのリソース管理をサポートするワイヤレス通信システム200の例を示す。ワイヤレス通信システム200は、第1の基地局105-a、第2の基地局105-b、第1のUE115-a、および第2のUE115-bを含み、それらは、図1を参照して説明されたような基地局105またはUE115の態様の例であってもよい。図2の例では、ワイヤレス通信システム200は、LTE、5G、またはNR RATなどの無線アクセス技術(RAT)に従って動作してもよいが、本明細書で説明される技法は、任意のRATに、および2つ以上の異なるRATを同時に使用してもよいシステムに適用されてもよい。
【００３８】
第1の基地局105-aは、アップリンクキャリア205およびダウンリンクキャリア215を通じて、第1の基地局105-aの第1の地理的カバレッジエリア110-a内の第1のUE115-aおよび1つまたは複数の他のUEと通信してもよい。第2の基地局105-bは、リンク220を通じて、第2の基地局105-bの第2の地理的カバレッジエリア110-b内の第2のUE115-bおよび1つまたは複数の他のUEと通信してもよい。リンク220はアップリンクキャリアおよびダウンリンクキャリアを含むことがあり、これらはアップリンクキャリア205およびダウンリンクキャリア215に関して論じられたのと同様の方式で、1ms TTIおよびsTTIを使用して送信を搬送してもよい。
【００３９】
いくつかの例では、第1の基地局105-aは、アップリンクキャリア205およびダウンリンクキャリア215を介したUEとの通信のためにリソースを割り振ってもよい。たとえば、第1の基地局105-aは、第1のUE115-aからのアップリンク送信のためにアップリンクキャリア205の中のアップリンクサブフレーム210を割り振ることがあり、1つまたは複数のアップリンクサブフレーム210は、1msのレガシーLTE TTIに対応することがある。この例では、アップリンクサブフレーム210は、第1のアップリンクサブフレーム210-aと、第2のアップリンクサブフレーム210-bと、第3のアップリンクサブフレーム210-cとを含んでもよい。アップリンクサブフレーム210の各々は、2つのスロットを含むことがあり、ここで各スロットは、ノーマルサイクリックプレフィックスのための7つのOFDMシンボルを有することがある。この例では、第1のスロット(スロット0)225および第2のスロット(スロット1)230は第1のサブフレーム210-aに含まれてもよい。同様に、第1の基地局105-aは、第1のUE115-aへのダウンリンク送信のために、ダウンリンクキャリア215の中のダウンリンクサブフレーム218を割り振ってもよい。この例では、ダウンリンクサブフレーム218は、第1のダウンリンクサブフレーム218-a、第2のダウンリンクサブフレーム218-b、および第3のダウンリンクサブフレーム218-cを含んでもよい。
【００４０】
上で示されたように、低レイテンシシステムのアップリンクにおいて異なるsTTIの長さが、アップリンクキャリア205を介した送信のために使用されてもよい。たとえば、物理アップリンク制御チャネル(PUCCH)送信および物理アップリンク共有チャネル(PUSCH)送信(または、短縮PUCCH(sPUCCH)送信および短縮PUSCH(sPUSCH)送信)のために、2シンボルのsTTI持続時間および1スロットのsTTI持続時間がサポートされてもよい。したがって、第1のスロット225または第2のスロット230の中に、2OFDMシンボルまたは3OFDMシンボルの持続時間を各々有してもよい、第1のsTTI(TTI-0)235、第2のsTTI(TTI-1)240、および第3のsTTI(TTI-2)245などの複数のsTTIが存在してもよい。そのようなTTI持続時間は、ダウンリンクキャリア215上で送信されるダウンリンクサブフレーム218にも適用されてもよい。
【００４１】
2シンボルのsTTIが使用されるとき、いくつかの場合、sTTIの境界が、第1のスロット225または第2のスロット230の境界などのスロット境界の中にあるか、またはスロット境界と揃えられるような固定されたsTTI構造を有することが望ましいことがあり、固定されたsTTI構造はスロット整合sTTIと呼ばれることがある。上で論じられたように、ノーマルCPを使用するとき、7つのシンボルが各スロット225〜230中に含まれ、したがって、各スロットは、スロット整合sTTIでは3つのsTTIを含んでもよい。いくつかの場合、各スロットの各シンボルを効率的に利用するために、sTTIのうちの1つが、3シンボルのTTIとして構成されてもよい。そのような場合、スロット225〜230の最後またはスロット225〜230の最初に3シンボルのTTIが位置するものなどの異なるパターンを考えることができる。2シンボルのsTTIまたは2シンボルのsTTIと3シンボルのsTTIの組合せを使用するとき、そのようなsTTIは2シンボルのsTTIと呼ばれてもよい。1スロットに対応する持続時間を有するsTTIを使用するとき、そのようなsTTIはスロットsTTIまたはスロット整合sTTIと呼ばれてもよい。サブフレームに対応する持続時間を有するTTIを使用するとき、そのようなTTIは1ms TTIまたはレガシーTTIと呼ばれてもよい。
【００４２】
いくつかの例では、2シンボルのダウンリンクsTTIは、サブフレーム境界内の2つのスロットのためにシンボル{3,2,2,2,2,3}という第1のパターンを使用することがあり、またはそのような送信のためにシンボル{2,3,2,2,2,3}という第2のパターンを使用することがある。いくつかの場合、使用されるべきパターンは、物理制御フォーマットインジケータチャネル(PCFICH)などのレガシー制御チャネルにおいて示されることがあり、ここで1シンボルまたは3シンボルのレガシー制御領域は第1のパターンを示し、2シンボルのレガシー制御領域は第2のパターンを示す。{3,2,2,2,2,3}または{2,2,3,2,2,3}という2つのパターンのうちの1つも、2シンボルのsTTI送信に対するアップリンク送信のために指定されてもよい。
【００４３】
上で示されたように、いくつかの場合、アップリンクリソースおよびダウンリンクリソースのための電力パラメータは、異なる電力パラメータを使用するリソースの異なるセットを提供するように管理されてもよい。そのような異なる電力パラメータは、改良された干渉管理を可能にでき、このことは比較的厳しい信頼性の目標を有することがある低レイテンシ送信などのいくつかの送信の信頼性を高めることを助けてもよい。いくつかの場合、リソースは、非低レイテンシ送信(たとえば、レガシーの1msトラフィック、信頼性の目標がより低いレガシーの超低レイテンシトラフィックなど)のパンクチャリング、高信頼性かつ低レイテンシの動作(たとえば、確保された周波数領域リソースおよび/または時間領域リソースを通じた)のためのリソースの確保、他のトラフィック(たとえば、レガシーの1msトラフィック)との重畳、またはこれらの組合せの形式で低レイテンシ送信のために管理されてもよい。
【００４４】
いくつかの例では、第1の基地局105-aおよび第2の基地局105-bは、sTTIのサブセットまたはシンボルのサブセットと組み合わされる可能性のある、DLおよび/またはULのためのサブバンドに依存する電力管理を調整することができる。いくつかの場合、ダウンリンク送信またはアップリンク送信は、送信のための利用可能な帯域幅(たとえば、20MHz)を有することがあり、この帯域幅は、いくつかのサブバンド(たとえば、5MHzのサブバンド)へと区分されることがある。そのような場合、異なるサブバンドは異なる電力パラメータで構成されてもよい。たとえば、20MHz帯域幅は、各々5MHzの4つのサブバンドへと区分されることがあり、SB1、SB2、SB3、およびSB4をもたらす。この例では、SB1およびSB2は普通の電力で管理されることがあり、SB3は低減された電力(たとえば、SB1およびSB2と比較して10dB低い)で管理されることがあり、SB4は予備(送信なし)であることがある。1つまたは複数のセル固有基準信号(CRS)の送信は、すべてのサブバンドにわたって普通の電力で送信されてもよい。いくつかの例では、サブバンドおよび電力パラメータは、UE固有またはセル固有のシグナリングを通じて示されてもよい。いくつかの例では、トラフィック対パイロット比(TRP)が、送信されるパイロットまたは基準信号のタイプと、リソースと関連付けられる電力パラメータとに基づいて決定されてもよい。たとえば、CRSベースのダウンリンク送信のために、UE115は、異なるサブバンドにおける制約された電力管理に基づいてTPR(すなわち、物理データ共有チャネル(PDSCH)対CRSの比)を示し、または決定することができる。復調基準信号(DM-RS)ベースのダウンリンク送信のために、UE115はすべてのサブバンドにわたって同じTPR(すなわち、PDSCH対DM-RSの比)を仮定することができるが、各サブバンドの絶対的な電力は異なってもよい。言い換えると、DM-RSとPDSCHとの両方が、所与のサブバンドのための電力管理において同じ量の制約を有する。
【００４５】
いくつかの例では、リソースと関連付けられる電力パラメータを通じたいくつかのリソースに対する電力の制約が、周波数リソースに加えて、またはその代わりに時間リソースのために使用されてもよい。たとえば、リソースのセットは、いくつかのsTTIまたはOFDMシンボルのみを含むものとして特定されてもよい。他の場合には、リソースの異なるセットのために、時間リソースと周波数リソースとの両方が特定されてもよい。たとえば、SB1は、第1のsTTIのための第1の電力パラメータセットと、第2のsTTIのための第2の電力パラメータセットとを有してもよい。いくつかの場合、電力パラメータセットと関連付けられる電力の制約は、サブバンド当たりの低減された最大送信電力、制約されないサブバンドと比較される電力オフセット、または開(または閉)ループ電力制御パラメータ(vs.制約なしでサブバンドのために使用されるパラメータ)の別個のセットを指定することを通じて指定されてもよい。いくつかの例では、低減された最大送信電力が使用される場合、送信は、効率的な受信の目的で、同じ電力パラメータを有するリソースのみを使用して送信されてもよい。たとえば、第1の電力制約を伴う第1のサブバンドにおいて何らかのRB、および第2の電力制約を伴う第2のサブバンドにおいて他のRBを伴うPUSCH送信があることは望ましくないことがある。他の例では、電力パラメータの異なるセット間の電力オフセットが使用される場合、単一のアップリンクチャネル送信は、第1の制約を伴う第1のサブバンドにおいて何らかのRBを有し、第2の制約を伴う第2のサブバンドにおいて他のRBを有してもよい。同様に、リソースの異なるセットが時間リソースを含む場合、リソースの1つまたは複数のセットに対する電力の制約は、サブフレームの中のサブバンドのすべてのsTTI/シンボルではなく、いくつかのsTTIまたはシンボルにおいてのみ適用されてもよい。さらなる例では、時間リソースと周波数リソースとの両方が、リソースの異なるセットに対して特定されることがあり、上で論じられたものなどのsTTIに依存するサブバンド電力制約をもたらす(たとえば、SB1は、第1のsTTIにおいて第1の電力レベルを有するが、第2のsTTIにおいては第1の電力レベルとは異なる第2の電力レベルを有する)。
【００４６】
いくつかの場合、第1の基地局105-aは、ビームフォーミングを使用して所望の方向にビーム250を送信することができ、第2の基地局105-bは、ビームフォーミングを使用して所望の方向に第2のビーム255を送信することができる。いくつかの場合、第1の基地局105-aおよび第2の基地局105-bは、第1の基地局105-aと第2の基地局105-bのビーム方向が異なるビーム方向となるように調整するために、第2の電力パラメータセットのうちの1つまたは複数を調整することができる。
【００４７】
いくつかの例では、第1の基地局105-aおよび第2の基地局105-bは、バックホール調整を通じてリソースの異なるセットに対する電力パラメータを調整することができる。そのようなバックホール調整は、確保の粒度としてRBのブロックを使用することなどによる、低レイテンシ送信のための周波数領域リソースの確保を含んでもよい。加えてまたは代わりに、そのようなバックホール調整は、確保の単位として1シンボルまたは2シンボルのsTTIを使用することなどによる時間領域リソースの確保を含んでもよい。いくつかの場合、電力パラメータは、アップリンクリソースとダウンリンクリソースとの両方のためのリソースのセットに適用されることがあり、各リンク方向におけるダウンリンクリソースとアップリンクリソースの一対の組合せであってもよく、このことは電力が制約された電力パラメータを伴うリソースを介した送信について、セル間の干渉の可能性を低減することを確実にするのを助けてもよい。いくつかの場合、干渉の調整は、何らかのRBおよび/または何らかのsTTIもしくはシンボルにおける低減されたダウンリンク送信電力および/または低減されたアップリンク送信電力という形態でもあってもよい。いくつかの場合、電力スペクトル密度(PSD)がリソースの異なるセットにわたって特定されることがあり、第1のリソースセットおよび第2のリソースセットのための電力パラメータは、特定されたPSDを達成するために選択されることがある(たとえば、何らかの周波数リソースの電力は、電力の所望のスペクトル密度を達成するように他の周波数リソースと比較して低減されてもよい)。いくつかのさらなる例では、UE115は各々、定期的なチャネル状態情報(CSI)報告を提供することがあり、基地局105は、CSI報告を受信し、いくつかのリソースが増大した干渉または閾値のレベルを超える干渉を受けていることを特定することがある。そのような場合、基地局105は、近隣の基地局105における潜在的な干渉を減らすために、低減された送信電力をもたらす電力パラメータを伴うリソースのセットへ特定されたリソースを追加することができる。いくつかの場合、基地局105は、低減された電力レベルを伴うリソースのセットへそのようなリソースを追加するために互いに協調することができる。
【００４８】
図3は、本開示の態様による、低レイテンシワイヤレス通信のためのリソース管理をサポートするsTTI構造300の例を示す。sTTI構造300は、図1および図2に関して論じられたものなどのUEと基地局との間の通信のために使用されてもよい。sTTIがサブフレームまたはスロットと揃うように並べられてもよいようなsTTIの異なる異なる構成が実装されてもよい。
【００４９】
この例では、2つのダウンリンクsTTI構成および2つのアップリンクsTTI構成は、低レイテンシダウンリンク送信に利用可能であってもよいが、本明細書で説明される技法は、実装されてもよい他のsTTI構成に適用される。第1のダウンリンクsTTI構成がダウンリンクsTTI305において図示され、これは基地局からUEへのダウンリンク送信のために使用され、上で論じられたようなパターン{3,2,2,2,2,3}を使用して送信されてもよい。この例では、ダウンリンクsTTI305について、第1のダウンリンクsTTI構成に従って、sTTI-0は3シンボルのsTTIであることがあり、sTTI-1からsTTI-4は2シンボルのsTTIであることがあり、sTTI-5は3シンボルのsTTIであることがある。第2のダウンリンクsTTI構成がダウンリンクsTTI310において図示され、これは上で論じられたようなパターン{2,3,2,2,2,3}を有してもよい。この例では、第2のダウンリンク構成を有するダウンリンクsTTI310について、sTTI-0は2シンボルのsTTIであることがあり、sTTI-1は3シンボルのsTTIであることがあり、sTTI-2からsTTI-4は2シンボルのsTTIであることがあり、sTTI-5は3シンボルのsTTIであることがある。
【００５０】
またこの例では、アップリンクsTTIの異なる構成が図示される。この例では、第1の構成(構成A)を伴うアップリンクsTTI315が、UEから基地局へのアップリンク送信のために使用されてもよい。この例では、アップリンクsTTI315は、上で論じられたようなパターン{3,2,2,2,2,3}を有してもよい。この例では、アップリンク構成Aを有するアップリンクsTTI315について、sTTI-0は3シンボルのsTTIであることがあり、sTTI-1からsTTI-4は2シンボルのsTTIであることがあり、sTTI-5は3シンボルのsTTIであることがある。この例でのアップリンクsTTI320の第2の構成(構成B)は、上で論じられたようなパターン{2,2,3,2,2,3}を有してもよい。この例では、アップリンク構成Bを有するアップリンクsTTI320について、sTTI-0およびsTTI-1は2シンボルのsTTIであることがあり、sTTI-2は3シンボルのsTTIであることがあり、sTTI-3およびsTTI-4は2シンボルのsTTIであることがあり、sTTI-5は3シンボルのsTTIであることがある。
【００５１】
上で論じられたように、図3に示されるようなsTTI構造を使用する低レイテンシ送信は比較的高い信頼性の目標を有してもよい。いくつかの例では、いくつかのワイヤレス送信リソースの送信電力は、異なるセル間の干渉を減らすのを助けるために制約されることがあり、そのようなワイヤレス送信リソースが、低レイテンシ通信の送信のために選択されることがある。電力が制約されるリソースの使用は低レイテンシ送信について干渉を減らすのを助けてもよいが、他の電力が制約されないリソースもそのような低レイテンシ送信のために使用されることがあり、基地局は、現在のトラフィック条件、(たとえば、CSI報告から導出される)異なるリソースに対する現在の干渉レベル、異なるリソースの利用可能性などの異なる要因に基づいて、電力が制約されるリソースであるか制約されないリソースであるかにかかわらずリソースのあらゆるセットからのリソースを割り振ることができる。
【００５２】
図4は、本開示の態様による、低レイテンシワイヤレス通信のためのリソース管理をサポートするワイヤレスリソース400のセットの例を示す。ワイヤレスリソース400は、図1および図2に関して論じられたようなUEと基地局との間の通信のために使用されてもよい。
【００５３】
この例では、ワイヤレスリソース400は、パターン{3,2,2,2,2,3}に従ってsTTIを用いて構成されてもよいサブフレームを含んでもよいが、この例は議論を目的に与えられ、本明細書で論じられるような技法は、任意のsTTIパターンに適用され、またはsTTIパターンに従って構成されないワイヤレスリソースに適用されてもよい。サブフレームは、4つのサブバンド、すなわちサブバンド1 405、サブバンド2 410、サブバンド3 415、およびサブバンド4 420にわたる周波数リソースを有してもよい。ワイヤレスリソース400は、異なる関連する電力パラメータを有してもよいリソースのセットを含んでもよい。この例では、異なる時間リソースおよび周波数リソースは異なる電力パラメータを有してもよいが、異なる電力パラメータを伴うリソースは、上で論じられたように、異なる時間リソースのみまたは異なる周波数リソースのみを含んでもよい。この例では、サブバンド3 415の時間リソースのすべてが電力制約されたリソースの第1のサブセットであってもよく、サブバンド1 405のsTTI-1が電力制約されたリソースの第2のサブセットであってもよく、サブバンド2 410のsTTI-2が電力制約されたリソースの第3のサブセットであってもよく、サブバンド2 410のsTTI-3が電力制約されたリソースの第4のサブセットであってもよく、サブバンド4のsTTI-5が電力制約されたリソースの第5のサブセットであってもよい。いくつかの場合、電力制約されたリソースの第1〜第5のサブセットは、電力制約されたリソースのセットとしてまとめてグループ化されてもよい。他の場合には、電力制約されたリソースの第1〜第5のサブセットの1つまたは複数は、適用される電力制約(いくつかのリソースを確保してもよい電力制約なしを含む)の量が異なってもよい、電力制約されたリソースの異なるセットへとグループ化されてもよい。電力制約されるリソースの第1〜第5のサブセット以外のワイヤレスリソースは、どのような電力制約も適用されないことがあり、制約されない電力パラメータに従って決定される電力レベルを伴う送信を含むことがあるが、電力制約されるリソースは、上で論じられたものなどの制約されない電力パラメータからのオフセットまたは指定される低減された電力を有することがある。
【００５４】
図5は、本開示の態様による、低レイテンシワイヤレス通信のためのリソース管理をサポートするプロセスフロー500の例を示す。プロセスフロー500は、図1〜図2を参照して説明されたような対応するデバイスの例であってもよい、基地局105-cおよびUE115-cを含んでもよい。基地局105-cおよびUE115-cは、ワイヤレス通信システムのための接続確立技法に従って接続505を確立してもよい。
【００５５】
ブロック510において、基地局105-cは、第1のリソースセットおよび第2のリソースセットのための電力パラメータを特定してもよい。そのような電力パラメータは、URLLCサービスまたはeMBBサービスなどの基地局105-cによって提供されてもよいサービスに基づいて特定されてもよい。いくつかの場合、基地局105-cは、第1のリソースセットに対する非低レイテンシ送信または非高信頼性送信のための制約されない第1の電力パラメータセットを特定することができ、第2のリソースセットに対する低レイテンシ送信および高信頼性送信のための制約される第2の電力パラメータセットを特定することができる。いくつかの場合、制約される第2の電力パラメータセットは、1つまたは複数の他の基地局との潜在的な干渉を軽減するために第2のリソースセットの電力を低減してもよい。基地局105-cは、電力パラメータを示してもよい構成情報515をUE115-cに送信する。
【００５６】
ブロック520において、UE115-cは、第1のリソースセットおよび第2のリソースセットのための電力パラメータを特定してもよい。いくつかの場合、UE115-cは、第1の電力パラメータセットを特定し、低減された電力または電力オフセットを適用して第2の電力パラメータセットを決定してもよい。いくつかの場合、構成情報515は、第1および第2の電力パラメータセットセットの各々を示してもよい。
【００５７】
ブロック525において、基地局105-cは、第1のワイヤレス送信のセット第1および第2のワイヤレス送信のセットのためのリソースを割り振ってもよい。そのようなリソース割振りは、非低レイテンシ送信のために第1のリソースセットの中のリソースを割り振ることと、低レイテンシ送信のために第2のリソースセットの中のリソースを割り振ることとを含んでもよい。いくつかの場合、第2のリソースセット内のリソースは、非低レイテンシ送信のために割り振られることがあり、これは第2の電力パラメータセットの制約された電力パラメータを用いて送信されることがある。リソース割振りは、ダウンリンク制御情報(DCI)530においてUE115-cに送信されてもよい。
【００５８】
ブロック535において、UE115-cは、DCI530を受信し、アップリンク送信のための割り振られるリソースを決定してもよい。割り振られるリソースを含むリソースのセットに応じて、UE115-cは、ブロック540において示されるように電力パラメータの対応するセットを適用することができ、アップリンク送信545を送信することができる。ブロック550において、基地局105-cは受信された信号の処理(たとえば、HARQ処理など)を実行してもよい。
【００５９】
図6は、本開示の態様による、低レイテンシワイヤレス通信のためのリソース管理をサポートするプロセスフロー600の例を示す。プロセスフロー600は、図1〜図2を参照して説明された対応するデバイスの例であってもよい、第1の基地局105-d、第2の基地局105-e、およびUE115-dを含んでもよい。
【００６０】
ブロック605において、第1の基地局105-dは、サービスと、異なるサービスのためのトラフィックとを特定してもよい。サービスは、1つまたは複数のサービスされるUEに送信されるべきデータ、1つまたは複数のUEのための確立されるサービス、または1つまたは複数のUEからのサービスに対する1つまたは複数の要求に基づいて特定されてもよい。サービスは、たとえば1つまたは複数の低レイテンシサービス、1つまたは複数の非低レイテンシサービス、またはこれらの組合せを含んでもよい。ブロック615において、第2の基地局105-eはまた、サービスと、異なるサービスのためのトラフィックとを同様の方式で特定してもよい。
【００６１】
ブロック610において、第1の基地局105-dは、異なるワイヤレス送信のセットによる潜在的な使用のためのリソースを特定してもよい。いくつかの場合、第1の基地局は、第1のリソースセットおよび第2のリソースセットを特定することがあり、これらは、それらのリソースを使用するワイヤレス送信に適用される異なる電力パラメータを有してもよいリソースセットとして特定されることがある。いくつかの場合、たとえば電力制約される電力パラメータを有してもよい第2のリソースセットを使用する低レイテンシかつ高信頼性のサービス(たとえば、URLLCサービス)および電力制約される電力パラメータを有しないことがある第1のリソースセットを使用してもよい1ms TTIサービス(たとえば、eMBBサービス)などのいくつかのワイヤレスサービスの送信ことが好まれることがある。ブロック615において、第2の基地局105-eは、異なるワイヤレス送信のセットによる潜在的な使用のためのリソースを同様の方式で特定してもよい。
【００６２】
625において、第1の基地局105-dおよび第2の基地局105-eは、セル間の干渉を軽減するために、低減された電力パラメータを用いてリソースのセットを調整してもよい。そのような調整は、リソースの異なるセットを特定し、セットの各々の電力パラメータを特定することを通じたものであってもよい。いくつかの例では、そのような調整は、バックホールリンク(たとえば、X2リンク)を介したバックホール調整を通じたものであってもよい。
【００６３】
第2の基地局105-eは、この例では構成情報630をUE115-dに提供してもよい。構成情報630は、たとえばリソースの異なるセットの指示およびリソースのセットのうちの少なくとも1つのための電力パラメータの指示を含んでもよい。いくつかの場合、構成情報630は、リソースの各セットのための電力パラメータを含んでもよい。
【００６４】
ブロック635において、UE115-dは、第1のリソースセットおよび第2のリソースセットのための電力パラメータを特定してもよい。UE115-dは、第1の電力パラメータセットの指示に基づいて電力パラメータを特定し、第1の電力パラメータセットに電力の差分またはオフセットを適用して第2の電力パラメータセットを取得してもよい。いくつかの場合、UE115-dは、電力パラメータを示すシグナリングに基づいて、第1および第2のリソースセットのための電力パラメータを特定してもよい。
【００６５】
そのような電力パラメータは、URLLCサービスまたはeMBBサービスなどの第2の基地局105-eによって提供されてもよいサービスに基づいて特定されてもよい。いくつかの場合、第2の基地局105-eは、第1のリソースセットに対する非低レイテンシ送信または非高信頼性送信のための制約されない第1の電力パラメータセットを特定することができ、第2のリソースセットに対する低レイテンシ送信および高信頼性送信のための制約される第2の電力パラメータセットを特定することができる。いくつかの場合、制約される第2の電力パラメータセットは、1つまたは複数の他の基地局との潜在的な干渉を軽減するために第2のリソースセットの電力を低減してもよい。電力パラメータの特定に続いて、第2の基地局105-eおよびUE115-dは、図5を参照して説明されるのと同様の動作を実行してもよい。
【００６６】
図7は、本開示の態様による、低レイテンシワイヤレス通信のためのリソース管理をサポートするワイヤレスデバイス705のブロック図700を示す。ワイヤレスデバイス705は、図1を参照して説明されたようなUE115の態様の例であってもよい。ワイヤレスデバイス705は、レシーバ710、UEリソースマネージャ715、およびトランスミッタ720を含んでもよい。ワイヤレスデバイス705はプロセッサも含んでもよい。これらのコンポーネントの各々は、(たとえば、1つまたは複数のバスを介して)互いに通信していてもよい。
【００６７】
レシーバ710は、パケット、ユーザデータ、または異なる情報チャネル(たとえば、制御チャネル、データチャネル、および低レイテンシワイヤレス通信のためのリソース管理に関する情報など)と関連付けられる制御情報などの情報を受信してもよい。情報はデバイスの他のコンポーネントに渡されてもよい。レシーバ710は、図10を参照して説明されるようなトランシーバ1035の態様の例であってもよい。
【００６８】
UEリソースマネージャ715は、図10を参照して説明されるようなUEリソースマネージャ1015の態様の例であってもよい。
【００６９】
UEリソースマネージャ715および/またはその異なるサブコンポーネントのうちの少なくともいくつかは、ハードウェア、プロセッサによって実行されるソフトウェア、ファームウェア、またはそれらの任意の組合せで実装されてもよい。プロセッサによって実行されるソフトウェアで実装される場合、UEリソースマネージャ715および/またはその異なるサブコンポーネントのうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェアコンポーネント、または本開示で説明される機能を実行するように設計されたそれらの任意の組合せによって実行されてもよい。UEリソースマネージャ715および/またはその異なるサブコンポーネントのうちの少なくともいくつかは、機能の一部が1つまたは複数の物理デバイスによって異なる物理的位置において実装されるように分散されることを含め異なる場所に物理的に位置してもよい。いくつかの例では、UEリソースマネージャ715および/またはその異なるサブコンポーネントのうちの少なくともいくつかは、本開示の異なる態様による別個のおよび異なるコンポーネントであってもよい。他の例では、UEリソースマネージャ715、および/またはその異なるサブコンポーネントのうちの少なくともいくつかは、限定はされないが、I/Oコンポーネント、トランシーバ、ネットワークサーバ、別のコンピューティングデバイス、本開示で説明された1つまたは複数の他のコンポーネント、または本開示の異なる態様によるそれらの組合せを含む、1つまたは複数の他のハードウェアコンポーネントと結合されてもよい。
【００７０】
UEリソースマネージャ715は、第1のワイヤレス送信のセットのための第1のリソースセットと関連付けられる第1の電力パラメータセットを特定し、第2のワイヤレス送信のセットの少なくとも第1のサブセットのための第2のリソースセットを示すシグナリングを受信することができ、第1のワイヤレス送信のセットは第1の持続時間TTIを有し、第2のワイヤレス送信のセットは第1の持続時間TTIより短い第2の持続時間TTIを有し、第2の電力パラメータセットと関連付けられる第2のリソースセットは、第1の電力パラメータセットと比較して低減された電力をもたらす。
【００７１】
トランスミッタ720は、デバイスの他のコンポーネントによって生成された信号を送信してもよい。いくつかの例では、トランスミッタ720は、トランシーバモジュールの中でレシーバ710と一緒に置かれてもよい。たとえば、トランスミッタ720は、図10を参照して説明されるトランシーバ1035の態様の例であってもよい。トランスミッタ720は単一のアンテナを含むことがあり、またはトランスミッタ720はアンテナのセットを含むことがある。
【００７２】
トランスミッタ720は、第1の電力パラメータセットに従って第1のリソースセットを使用して第1のワイヤレス送信のセットを送信し、第2の電力パラメータセットに従って第2のリソースセットを使用して第2のワイヤレス送信のセットの少なくとも第1のサブセットを送信してもよい。
【００７３】
図8は、本開示の異なる態様による、低レイテンシワイヤレス通信のためのリソース管理をサポートするワイヤレスデバイス805のブロック図800を示す。ワイヤレスデバイス805は、図1および図7を参照して説明されたようなワイヤレスデバイス705またはUE115の態様の例であってもよい。ワイヤレスデバイス805は、レシーバ810、UEリソースマネージャ815、およびトランスミッタ820を含んでもよい。ワイヤレスデバイス805はプロセッサも含んでもよい。これらのコンポーネントの各々は、(たとえば、1つまたは複数のバスを介して)互いに通信していてもよい。
【００７４】
レシーバ810は、パケット、ユーザデータ、または異なる情報チャネル(たとえば、制御チャネル、データチャネル、および低レイテンシワイヤレス通信のためのリソース管理に関する情報など)と関連付けられる制御情報などの情報を受信してもよい。情報はデバイスの他のコンポーネントに渡されてもよい。レシーバ810は、図10を参照して説明されるようなトランシーバ1035の態様の例であってもよい。
【００７５】
UEリソースマネージャ815は、図10を参照して説明されるようなUEリソースマネージャ1015の態様の例であってもよい。UEリソースマネージャ815はまた、電力パラメータ特定コンポーネント825およびリソース割振りコンポーネント830を含んでもよい。
【００７６】
電力パラメータ特定コンポーネント825は、第1のワイヤレス送信のセットのための第1のリソースセットと関連付けられる第1の電力パラメータセットを特定することができ、第1のワイヤレス送信のセットは第1の持続時間TTIを有する。いくつかの場合、第2の電力パラメータセットを示すシグナリングが受信されてもよい。いくつかの場合、電力パラメータ特定コンポーネント825は、第2の時間リソースのサブセットと関連付けられる第3の電力パラメータセットを特定してもよい。いくつかの場合、第2の電力パラメータセットを特定することは、第1の電力パラメータセットの最大送信電力を特定し、第2の電力パラメータセットのための最大送信電力に低減を適用すること、第1の電力パラメータセットの第1の送信電力を特定し、第2の電力パラメータセットの低減された第2の送信電力をもたらすために第1の送信電力にオフセットを適用すること、第1のリソースセットのための開ループもしくは閉ループ電力制御パラメータの第1のセットを特定すること、第2のリソースセットのための開ループもしくは閉ループ電力制御パラメータの第2のセットを特定すること、および開ループもしくは閉ループ電力制御パラメータの第2のセットを第2のリソースセットに適用することのうちの1つまたは複数、または第1のリソースセットおよび第2のリソースセットのための最大PSDを特定し、最大PSD以内のPSDをもたらすように第1のリソースセットのための第1の送信電力および第2のリソースセットのための第2の送信電力を選択することを含む。いくつかの場合、シグナリングは、第2の電力パラメータセットを示すセル固有のシグナリングまたはUE固有のシグナリングを含む。
【００７７】
リソース割振りコンポーネント830は、第2のワイヤレス送信のセットの少なくとも第1のサブセットのための第2のリソースセットを示すシグナリングを受信することができ、第2のワイヤレス送信のセットは第1の持続時間TTIより短い第2の持続時間TTIを有し、第2の電力パラメータセットと関連付けられる第2のリソースセットは、第1の電力パラメータセットと比較して低減された電力をもたらす。いくつかの場合、リソース割振りコンポーネント830は、第2のリソースセットと同じサブフレームにおいて、第1の電力パラメータセットに従った第2のワイヤレス送信のセットの第2のサブセットの送信を調整し、少なくとも第1のリソースセットの第1の部分および第2のリソースセットの第2の部分にわたるリソースの割振りを受信してもよい。いくつかの場合、リソース割振りコンポーネント830は、第1のリソースセットおよび第2のリソースセットを使用して第1のワイヤレス送信のセットを送信し、第2のワイヤレス送信のセットと関連付けられるデータが送信されるべきであることを特定し、第2のワイヤレス送信のセットの第2の送信を用いて第1のワイヤレス送信のセットをパンクチャリングすることができる。いくつかの事例では、第1のワイヤレス送信のセットはUEから基地局への第1のアップリンク送信を含み、第1のリソースセットは、第1のアップリンク送信が第1の電力パラメータセットを排他的に使用して送信されることをもたらすように選択される。いくつかの場合、第1のワイヤレス送信のセットはUEから基地局への第1のアップリンク送信を含み、第1のアップリンク送信のためのワイヤレスリソースは第1のリソースセットと第2のリソースセットとの両方から選択され、第2のリソースセットの第2の送信電力を決定するためにオフセットが第1のリソースセットの第1の送信電力に適用される。
【００７８】
トランスミッタ820は、デバイスの他のコンポーネントによって生成された信号を送信してもよい。いくつかの例では、トランスミッタ820は、トランシーバモジュールの中でレシーバ810と一緒に置かれてもよい。たとえば、トランスミッタ820は、図10を参照して説明されるトランシーバ1035の態様の例であってもよい。トランスミッタ820は、単一のアンテナを含むことがあり、またはアンテナのセットを含むことがある。
【００７９】
図9は、本開示の態様による、低レイテンシワイヤレス通信のためのリソース管理をサポートするUEリソースマネージャ915のブロック図900を示す。UEリソースマネージャ915は、図7、図8、および図10を参照して説明されるUEリソースマネージャ715、UEリソースマネージャ815、またはUEリソースマネージャ1015の態様の例であってもよい。UEリソースマネージャ915は、電力パラメータ特定コンポーネント920、リソース割振りコンポーネント925、サブバンド特定コンポーネント930、時間リソース特定コンポーネント935、およびパイロット信号コンポーネント940を含んでもよい。これらのモジュールの各々は、(たとえば、1つまたは複数のバスを介して)互いと直接的または間接的に通信することができる。
【００８０】
電力パラメータ特定コンポーネント920は、第1のワイヤレス送信のセットのための第1のリソースセットと関連付けられる第1の電力パラメータセットを特定することができ、第1のワイヤレス送信のセットは第1の持続時間TTIを有する。いくつかの場合、第2の電力パラメータセットを示すシグナリングが受信されてもよい。いくつかの場合、電力パラメータ特定コンポーネント920は、第2の時間リソースのサブセットと関連付けられる第3の電力パラメータセットを特定してもよい。いくつかの場合、第2の電力パラメータセットを特定することは、第1の電力パラメータセットの最大送信電力を特定し、第2の電力パラメータセットのための最大送信電力に低減を適用すること、第1の電力パラメータセットの第1の送信電力を特定し、第2の電力パラメータセットの低減された第2の送信電力をもたらすために第1の送信電力にオフセットを適用すること、第1のリソースセットのための開ループもしくは閉ループ電力制御パラメータの第1のセットを特定すること、第2のリソースセットのための開ループもしくは閉ループ電力制御パラメータの第2のセットを特定すること、および開ループもしくは閉ループ電力制御パラメータの第2のセットを第2のリソースセットに適用することのうちの1つまたは複数、または第1のリソースセットおよび第2のリソースセットのための最大PSDを特定し、最大PSD以内のPSDをもたらすように第1のリソースセットのための第1の送信電力および第2のリソースセットのための第2の送信電力を選択することを含む。いくつかの場合、シグナリングは、第2の電力パラメータセットを示すセル固有のシグナリングまたはUE固有のシグナリングを含む。
【００８１】
リソース割振りコンポーネント925は、第2のワイヤレス送信のセットの少なくとも第1のサブセットのための第2のリソースセットを示すシグナリングを受信することができ、第2のワイヤレス送信のセットは第1の持続時間TTIより短い第2の持続時間TTIを有し、第2の電力パラメータセットと関連付けられる第2のリソースセットは、第1の電力パラメータセットと比較して低減された電力をもたらす。いくつかの場合、リソース割振りコンポーネント925は、第2のリソースセットと同じサブフレームにおいて、第1の電力パラメータセットに従った第2のワイヤレス送信のセットの第2のサブセットの送信を調整し、少なくとも第1のリソースセットの第1の部分および第2のリソースセットの第2の部分にわたるリソースの割振りを受信してもよい。いくつかの場合、リソース割振りコンポーネント925は、第1のリソースセットおよび第2のリソースセットを使用して第1のワイヤレス送信のセットを送信し、第2のワイヤレス送信のセットと関連付けられるデータが送信されるべきであることを特定し、第2のワイヤレス送信のセットの第2の送信を用いて第1のワイヤレス送信のセットをパンクチャリングすることができる。いくつかの事例では、第1のワイヤレス送信のセットはUEから基地局への第1のアップリンク送信を含み、第1のリソースセットは、第1のアップリンク送信が第1の電力パラメータセットを排他的に使用して送信されることをもたらすように選択される。いくつかの場合、第1のワイヤレス送信のセットはUEから基地局への第1のアップリンク送信を含み、第1のアップリンク送信のためのワイヤレスリソースは第1のリソースセットと第2のリソースセットとの両方から選択され、第2のリソースセットの第2の送信電力を決定するためにオフセットが第1のリソースセットの第1の送信電力に適用される。
【００８２】
サブバンド特定コンポーネント930は、リソースの1つまたは複数のセットと関連付けられるリソースのサブバンドを特定してもよい。いくつかの場合、第1のリソースセットは、第1のワイヤレス送信のセットを送信するための利用可能な送信帯域幅の第1のサブバンドの中の周波数リソースを含む。いくつかの場合、第2のリソースセットは、第1のワイヤレス送信のセットを送信するための、または第2のワイヤレス送信のセットの少なくとも第1のサブセットを送信するための利用可能な送信帯域幅の第2のサブバンドの中の周波数リソースを含み、第2のサブバンドは第1のサブバンドと異なる。いくつかの場合、第1のリソースセットは、利用可能な送信帯域幅の第1のサブバンドおよび第3のサブバンドを含み、確保された第3のリソースセットは、第2のワイヤレス送信のセットの送信のみを送信するのに利用可能であることがあり、確保された第3のリソースセットは利用可能な送信帯域幅の第4のサブバンドを含む。
【００８３】
時間リソース特定コンポーネント935は、リソースの1つまたは複数のセットと関連付けられる時間リソースを特定してもよい。いくつかの場合、第2のリソースセットはさらに、第2の電力パラメータセットを使用して、第1のワイヤレス送信のセットまたは第2のワイヤレス送信のセットの少なくとも第1のサブセットを送信するための、第2のサブバンド内の第1の時間リソースのサブセットを含む。いくつかの場合、第1の時間リソースのサブセットは、第2の持続時間TTIを有する1つまたは複数のOFDMシンボルまたは1つまたは複数のTTIを含む。いくつかの場合、第2のリソースセットはさらに、第1のワイヤレス送信のセットまたは第2のワイヤレス送信のセットの少なくとも第1のサブセットを送信するための、第1のサブバンド内の第2の時間リソースのサブセットを含む。
【００８４】
パイロット信号コンポーネント940は、第1のリソースセットおよび第2のリソースセットの少なくとも一部分にわたるセル固有基準信号(CRS)リソースを特定し、CRSリソースと重複する第2のリソースセットの部分のための第1の電力パラメータセットおよびCRSリソースと重複しない第2のリソースセットの部分のための第2の電力パラメータセットに基づいて、第2のリソースセットのためのTPRを決定してもよい。いくつかの場合、パイロット信号コンポーネント940は、第1のリソースセットの第1の部分および第2のリソースセットの第2の部分と関連付けられる復調基準信号(DMRS)リソースを特定し、第1の電力パラメータセットを使用して送信されている第1のリソースセットと重複するDMRSリソースに基づいて第1のリソースセットのためのTPRを決定し、第2の電力パラメータセットを使用して送信されている第2のリソースセットと重複するDMRSリソースに基づいて、第2のリソースセットのためのTPRを決定してもよい。
【００８５】
図10は、本開示の態様による、低レイテンシワイヤレス通信のためのリソース管理をサポートするデバイス1005を含むシステム1000の図を示す。デバイス1005は、図1、図7、および図8を参照して上で説明されたようなワイヤレスデバイス705、ワイヤレスデバイス805、またはUE115のコンポーネントの例であってもよく、またはそれを含んでもよい。デバイス1005は、UEリソースマネージャ1015、プロセッサ1020、メモリ1025、ソフトウェア1030、トランシーバ1035、アンテナ1040、およびI/Oコントローラ1045を含む通信を送信および受信するためのコンポーネントを含む、双方向音声およびデータ通信のためのコンポーネントを含んでもよい。これらのコンポーネントは、1つまたは複数のバス(たとえば、バス1010)を介して電子通信していてもよい。デバイス1005は、1つまたは複数の基地局105とワイヤレスに通信してもよい。
【００８６】
プロセッサ1020は、インテリジェントハードウェアデバイス(たとえば、汎用プロセッサ、DSP、中央処理装置(CPU)、マイクロコントローラ、ASIC、FPGA、プログラマブル論理デバイス、個別ゲートもしくはトランジスタ論理コンポーネント、個別ハードウェアコンポーネント、またはそれらの任意の組合せ)を含んでもよい。いくつかの場合、プロセッサ1020は、メモリコントローラを使用してメモリアレイを動作させるように構成されてもよい。他の場合には、メモリコントローラはプロセッサ1020の中に統合されてもよい。プロセッサ1020は、異なる機能(たとえば、低レイテンシワイヤレス通信のためのリソース管理をサポートする機能またはタスク)を実行するためにメモリに記憶されたコンピュータ可読命令を実行するように構成されてもよい。
【００８７】
メモリ1025は、ランダムアクセスメモリ(RAM)および読取り専用メモリ(ROM)を含んでもよい。メモリ1025は、実行されると、本明細書で説明される異なる機能をプロセッサに実行させる命令を含むコンピュータ可読のコンピュータ実行可能ソフトウェア1030を記憶してもよい。いくつかの場合、メモリ1025は、とりわけ周辺コンポーネントまたは周辺デバイスとの相互作用などの基本的なハードウェア動作および/またはソフトウェア動作を制御してもよい基本入出力システム(BIOS)を含んでもよい。
【００８８】
ソフトウェア1030は、低レイテンシワイヤレス通信のためのリソース管理をサポートするためのコードを含む、本開示の態様を実装するためのコードを含んでもよい。ソフトウェア1030は、システムメモリまたは他のメモリなどの非一時的コンピュータ可読媒体内に記憶されてもよい。いくつかの場合、ソフトウェア1030は、プロセッサによって直接実行可能でないことがあるが、(たとえば、コンパイルされ、実行されると)本明細書で説明される機能をコンピュータに実行させてもよい。
【００８９】
トランシーバ1035は、上で説明されたように、1つまたは複数のアンテナ、有線リンク、またはワイヤレスリンクを介して、双方向に通信してもよい。たとえば、トランシーバ1035はワイヤレストランシーバを表すことがあり、別のワイヤレストランシーバと双方向に通信することがある。トランシーバ1035はまた、パケットを変調して変調されたパケットを送信のためにアンテナに提供するための、またアンテナから受信されたパケットを復調するためのモデムを含んでもよい。
【００９０】
いくつかの場合、ワイヤレスデバイスは単一のアンテナ1040を含んでもよい。しかしながら、いくつかの場合、デバイスは、複数のワイヤレス送信を同時に送信または受信することが可能であってもよい2つ以上のアンテナ1040を有してもよい。
【００９１】
I/Oコントローラ1045は、デバイス1005の入力信号および出力信号を管理してもよい。I/Oコントローラ1045はまた、デバイス1005に統合されない周辺機器を管理してもよい。いくつかの場合、I/Oコントローラ1045は、外部周辺機器への物理接続またはポートを表してもよい。いくつかの場合、I/Oコントローラ1045は、iOS(登録商標)、ANDROID(登録商標)、MS-DOS(登録商標)、MS-WINDOWS(登録商標)、OS/2(登録商標)、UNIX(登録商標)、LINUX(登録商標)などのオペレーティングシステム、または別の既知のオペレーティングシステムを利用してもよい。他の場合には、I/Oコントローラ1045は、モデム、キーボード、マウス、タッチスクリーン、または同様のデバイスを表し、またはそれと対話してもよい。いくつかの場合、I/Oコントローラ1045はプロセッサの一部として実装されてもよい。いくつかの場合、ユーザは、I/Oコントローラ1045を介して、またはI/Oコントローラ1045によって制御されたハードウェアコンポーネントを介してデバイス1005と対話してもよい。
【００９２】
図11は、本開示の態様による、低レイテンシワイヤレス通信のためのリソース管理をサポートするワイヤレスデバイス1105のブロック図1100を示す。ワイヤレスデバイス1105は、図1を参照して説明されたような基地局105の態様の例であってもよい。ワイヤレスデバイス1105は、レシーバ1110、基地局リソースマネージャ1115、およびトランスミッタ1120を含んでもよい。ワイヤレスデバイス1105はプロセッサも含んでもよい。これらのコンポーネントの各々は、(たとえば、1つまたは複数のバスを介して)互いに通信していてもよい。
【００９３】
レシーバ1110は、パケット、ユーザデータ、または異なる情報チャネル(たとえば、制御チャネル、データチャネル、および低レイテンシワイヤレス通信のためのリソース管理に関する情報など)と関連付けられる制御情報などの情報を受信してもよい。情報はデバイスの他のコンポーネントに渡されてもよい。レシーバ1110は、図14を参照して説明されるようなトランシーバ1435の態様の例であってもよい。
【００９４】
基地局リソースマネージャ1115は、図14を参照して説明されるような基地局リソースマネージャ1415の態様の例であってもよい。
【００９５】
基地局リソースマネージャ1115および/またはその異なるサブコンポーネントのうちの少なくともいくつかは、ハードウェア、プロセッサによって実行されるソフトウェア、ファームウェア、またはそれらの任意の組合せで実装されてもよい。プロセッサによって実行されるソフトウェアで実装される場合、基地局リソースマネージャ1115および/またはその異なるサブコンポーネントのうちの少なくともいくつかの機能は、汎用プロセッサ、DSP、ASIC、FPGAもしくは他のプログラマブル論理デバイス、個別ゲートもしくはトランジスタ論理、個別ハードウェアコンポーネント、または本開示において説明される機能を実行するように設計されたそれらの任意の組合せによって実行されてもよい。基地局リソースマネージャ1115および/またはその異なるサブコンポーネントのうちの少なくともいくつかは、機能の一部が1つまたは複数の物理デバイスによって異なる物理的位置において実装されるように分散されることを含め異なる場所に物理的に位置してもよい。いくつかの例では、基地局リソースマネージャ1115および/またはその異なるサブコンポーネントのうちの少なくともいくつかは、本開示の異なる態様による別個のおよび異なるコンポーネントであってもよい。他の例では、基地局リソースマネージャ1115および/またはその異なるサブコンポーネントのうちの少なくともいくつかは、限定はされないが、I/Oコンポーネント、トランシーバ、ネットワークサーバ、別のコンピューティングデバイス、本開示で説明された1つまたは複数の他のコンポーネント、または本開示の異なる態様によるそれらの組合せを含む1つまたは複数の他のハードウェアコンポーネントと結合されてもよい。
【００９６】
基地局リソースマネージャ1115は、第1のワイヤレス送信のセットのための第1のリソースセットと関連付けられる第1の電力パラメータセットを特定し、第1のワイヤレス送信のセットが第1の持続時間TTIを有し、第2のワイヤレス送信のセットのための第2のリソースセットと関連付けられる第2の電力パラメータセットを特定し、第2のワイヤレス送信のセットが第1の持続時間TTIより短い第2の持続時間TTIを有し、第2の電力パラメータセットが第1の電力パラメータセットと比較して低減された電力をもたらし、第1の電力パラメータセットおよび第2の電力パラメータセットを示すシグナリングをUEに送信することができる。
【００９７】
トランスミッタ1120は、デバイスの他のコンポーネントによって生成された信号を送信してもよい。いくつかの例では、トランスミッタ1120は、トランシーバモジュールの中でレシーバ1110と一緒に置かれてもよい。たとえば、トランスミッタ1120は、図14を参照して説明されるトランシーバ1435の態様の例であってもよい。トランスミッタ1120は、単一のアンテナを含むことがあり、またはトランスミッタ1120はアンテナのセットを含むことがある。
【００９８】
図12は、本開示の態様による、低レイテンシワイヤレス通信のためのリソース管理をサポートするワイヤレスデバイス1205のブロック図1200を示す。ワイヤレスデバイス1205は、図1および図11を参照して説明されたようなワイヤレスデバイス1105または基地局105の態様の例であってもよい。ワイヤレスデバイス1205は、レシーバ1210、基地局リソースマネージャ1215、およびトランスミッタ1220を含んでもよい。ワイヤレスデバイス1205はプロセッサも含んでもよい。これらのコンポーネントの各々は、(たとえば、1つまたは複数のバスを介して)互いに通信していてもよい。
【００９９】
レシーバ1210は、パケット、ユーザデータ、または異なる情報チャネル(たとえば、制御チャネル、データチャネル、および低レイテンシワイヤレス通信のためのリソース管理に関する情報など)と関連付けられる制御情報などの情報を受信してもよい。情報はデバイスの他のコンポーネントに渡されてもよい。レシーバ1210は、図14を参照して説明されるようなトランシーバ1435の態様の例であってもよい。
【０１００】
基地局リソースマネージャ1215は、図14を参照して説明されるような基地局リソースマネージャ1415の態様の例であってもよい。基地局リソースマネージャ1215はまた、リソース割振りコンポーネント1225および電力パラメータ特定コンポーネント1230を含んでもよい。
【０１０１】
リソース割振りコンポーネント1225は、第1のワイヤレス送信のセットのための第1のリソースセットと関連付けられる第1の電力パラメータセットを特定し、第2のワイヤレス送信のセットのための第2のリソースセットと関連付けられる第2の電力パラメータセットを特定することができ、第1のワイヤレス送信のセットは第1の持続時間TTIを有し、第2のワイヤレス送信のセットは第1の持続時間TTIより短い第2の持続時間TTIを有し、第2の電力パラメータセットは第1の電力パラメータセットと比較して低減された電力をもたらす。いくつかの場合、第2の電力パラメータセットは、第1の電力パラメータセットより大きい電力をもたらしてもよい。いくつかの場合、周波数領域リソースのサブセットが、第2のワイヤレス送信のセットのために確保される。いくつかの場合、周波数領域リソースのサブセットは、リソースブロックのセットを含む。いくつかの場合、時間領域リソースのサブセットが、第2のワイヤレス送信のセットのために確保される。いくつかの場合、2つ以上の基地局は、電力パラメータを調整することができ、UEと第1の基地局との間の第2のワイヤレス送信のセットのアップリンク送信およびダウンリンク送信のためのアップリンクリソースとダウンリンクリソースのペアを協調させることができる。
【０１０２】
電力パラメータ特定コンポーネント1230は、第1の電力パラメータセットおよび第2の電力パラメータセットを示すシグナリングをUEに送信し、第2の電力パラメータセットを第3のリソースセットに適用してもよい。いくつかの場合、第2の電力パラメータセットのうちの1つまたは複数を調整することは、第2のリソースセットのための低減された送信電力を調整することを含む。
【０１０３】
トランスミッタ1220は、デバイスの他のコンポーネントによって生成された信号を送信してもよい。いくつかの例では、トランスミッタ1220は、トランシーバモジュールの中でレシーバ1210と一緒に置かれてもよい。たとえば、トランスミッタ1220は、図14を参照して説明されるトランシーバ1435の態様の例であってもよい。トランスミッタ1220は、単一のアンテナを含むことがあり、またはアンテナのセットを含むことがある。
【０１０４】
図13は、本開示の態様による、低レイテンシワイヤレス通信のためのリソース管理をサポートする基地局リソースマネージャ1315のブロック図1300を示す。基地局リソースマネージャ1315は、図11、図12、および図14を参照して説明されるような基地局リソースマネージャ1415の態様の例であってもよい。基地局リソースマネージャ1315は、リソース割振りコンポーネント1320、電力パラメータ特定コンポーネント1325、セル間調整コンポーネント1330、サブバンド特定コンポーネント1335、時間リソース特定コンポーネント1340、ビームフォーミングコンポーネント1345、および干渉特性コンポーネント1350を含んでもよい。これらのモジュールの各々は、直接または間接的に互いに(たとえば、1つまたは複数のバスを介して)通信してもよい。
【０１０５】
リソース割振りコンポーネント1320は、第1のワイヤレス送信のセットのための第1のリソースセットと関連付けられる第1の電力パラメータセットを特定し、第2のワイヤレス送信のセットのための第2のリソースセットと関連付けられる第2の電力パラメータセットを特定することができ、第1のワイヤレス送信のセットは第1の持続時間TTIを有し、第2のワイヤレス送信のセットは第1の持続時間TTIより短い第2の持続時間TTIを有し、第2の電力パラメータセットは第1の電力パラメータセットと比較して低減された電力をもたらす。いくつかの場合、周波数領域リソースのサブセットが、第2のワイヤレス送信のセットのために確保される。いくつかの場合、周波数領域リソースのサブセットは、リソースブロックのセットを含む。いくつかの場合、時間領域リソースのサブセットが、第2のワイヤレス送信のセットのために確保される。いくつかの場合、2つ以上の基地局は、電力パラメータを調整することができ、UEと第1の基地局との間の第2のワイヤレス送信のセットのアップリンク送信およびダウンリンク送信のためのアップリンクリソースとダウンリンクリソースのペアを協調させることができる。
【０１０６】
電力パラメータ特定コンポーネント1325は、第1の電力パラメータセットおよび第2の電力パラメータセットを示すシグナリングをUEに送信し、第2の電力パラメータセットを第3のリソースセットに適用してもよい。いくつかの場合、第2の電力パラメータセットのうちの1つまたは複数を調整することは、第2のリソースセットのための低減された送信電力を調整することを含む。
【０１０７】
セル間調整コンポーネント1330は、1つまたは複数の近隣の基地局とともに、干渉を軽減して第2のワイヤレス送信のセットの1つまたは複数の送信の受信の成功の可能性を高めるために、第2の電力パラメータセットのうちの1つまたは複数を調整してもよい。
【０１０８】
サブバンド特定コンポーネント1335は、周波数リソースの1つまたは複数のサブバンドを特定してもよい。いくつかの場合、第2の電力パラメータセットのうちの1つまたは複数を調整することは、第2のワイヤレス送信のセットのために利用可能な周波数領域リソースのサブセットを調整することを含む。
【０１０９】
時間リソース特定コンポーネント1340は、1つまたは複数の時間領域リソースを特定してもよい。いくつかの場合、第2の電力パラメータセットのうちの1つまたは複数を調整することは、第2のワイヤレス送信のセットのために利用可能な時間領域リソースのサブセットを調整することを含む。いくつかの場合、時間領域リソースのサブセットは、第2の持続時間TTIを有するOFDMシンボルのセットまたは1つまたは複数のTTIを含む。
【０１１０】
ビームフォーミングコンポーネント1345は、特定の方向にダウンリンク送信を送信するためにビームフォーミングを実行してもよい。いくつかの場合、第2の電力パラメータセットのうちの1つまたは複数を調整することは、第1の基地局および近隣の基地局のうちの1つまたは複数のビーム方向が異なるビーム方向となるように調整することを含む。
【０１１１】
干渉特定コンポーネント1350は、UEから1つまたは複数のCSI報告を受信し、第3のリソースセットに対する干渉の量が閾値を超えることを判定することができ、この閾値は、第2の電力パラメータセットと関連付けられてもよい第3のリソースセットを特定するために使用されてもよい。
【０１１２】
図14は、本開示の異なる態様による、低レイテンシワイヤレス通信のためのリソース管理をサポートするデバイス1405を含むシステム1400の図を示す。デバイス1405は、図1を参照して上で説明されたような基地局105のコンポーネントの例であってもよく、またはそれを含んでもよい。デバイス1405は、基地局リソースマネージャ1415、プロセッサ1420、メモリ1425、ソフトウェア1430、トランシーバ1435、アンテナ1440、ネットワーク通信マネージャ1445、および基地局通信マネージャ1450を含め、通信を送信および受信するためのコンポーネントを含む、双方向音声およびデータ通信のためのコンポーネントを含んでもよい。これらのコンポーネントは、1つまたは複数のバス(たとえば、バス1410)を介して電子通信していてもよい。デバイス1405は、1つまたは複数のUE115とワイヤレスに通信することができる。
【０１１３】
プロセッサ1420は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理コンポーネント、個別ハードウェアコンポーネント、またはそれらの任意の組合せ)を含んでもよい。いくつかの場合、プロセッサ1420は、メモリコントローラを使用してメモリアレイを動作させるように構成されてもよい。他の場合には、メモリコントローラはプロセッサ1420の中に統合されてもよい。プロセッサ1420は、異なる機能(たとえば、低レイテンシワイヤレス通信のためのリソース管理をサポートする機能またはタスク)を実行するためにメモリに記憶されたコンピュータ可読命令を実行するように構成されてもよい。
【０１１４】
メモリ1425は、RAMおよびROMを含んでもよい。メモリ1425は、実行されると、プロセッサに、本明細書で説明される異なる機能を実行させる命令を含む、コンピュータ可読のコンピュータ実行可能ソフトウェア1430を記憶してもよい。いくつかの場合、メモリ1425は、とりわけ周辺コンポーネントまたはデバイスとの相互作用などの基本的なハードウェアおよび/またはソフトウェア動作を制御してもよいBIOSを含んでもよい。
【０１１５】
ソフトウェア1430は、低レイテンシワイヤレス通信のためのリソース管理をサポートするためのコードを含む、本開示の態様を実装するためのコードを含んでもよい。ソフトウェア1430は、システムメモリまたは他のメモリなどの非一時的コンピュータ可読媒体内に記憶されてもよい。いくつかの場合、ソフトウェア1430は、プロセッサによって直接実行可能でないことがあるが、(たとえば、コンパイルされ、実行されると)本明細書で説明される機能をコンピュータに実行させてもよい。
【０１１６】
トランシーバ1435は、上で説明されたように、1つまたは複数のアンテナ、有線リンク、またはワイヤレスリンクを介して双方向に通信してもよい。たとえば、トランシーバ1435はワイヤレストランシーバを表すことがあり、別のワイヤレストランシーバと双方向に通信することがある。トランシーバ1435はまた、パケットを変調して変調されたパケットを送信のためにアンテナに提供するための、またアンテナから受信されたパケットを復調するためのモデムを含んでもよい。
【０１１７】
いくつかの場合には、ワイヤレスデバイスは単一のアンテナ1440を含んでもよい。しかしながら、いくつかの場合には、デバイスは、複数のワイヤレス送信を同時に送信または受信することが可能であってもよい2つ以上のアンテナ1440を有してもよい。
【０１１８】
ネットワーク通信マネージャ1445は、(たとえば、1つまたは複数の有線バックホールリンクを介した)コアネットワークとの通信を管理してもよい。たとえば、ネットワーク通信マネージャ1445は、1つまたは複数のUE115などのクライアントデバイスのためのデータ通信の転送を管理してもよい。
【０１１９】
基地局通信マネージャ1450は、他の基地局105との通信を管理することができ、他の基地局105と協働してUE115との通信を制御するためのコントローラまたはスケジューラを含んでもよい。たとえば、基地局通信マネージャ1450は、ビームフォーミングまたはジョイント送信などの異なる干渉緩和技法のために、UE115への送信のスケジューリングを調整してもよい。いくつかの例では、基地局通信マネージャ1450は、基地局105間で通信を行うために、Long Term Evolution(LTE)/LTE-Aワイヤレス通信ネットワーク技術内のX2インターフェースを提供してもよい。
【０１２０】
図15は、本開示の態様による、低レイテンシワイヤレス通信のためのリソース管理の方法1500を示すフローチャートを示す。方法1500の動作は、本明細書で説明されるように、UE115またはそのコンポーネントによって実施されてもよい。たとえば、方法1500の動作は、図7〜図10を参照して説明されたように、UEリソースマネージャによって実行されてもよい。いくつかの例では、UE115は、以下で説明される機能を実行するようにデバイスの機能要素を制御するためのコードのセットを実行してもよい。加えてまたは代わりに、UE115は、専用ハードウェアを使用して以下で説明される機能の態様を実行してもよい。
【０１２１】
ブロック1505において、UE115は、第1のワイヤレス送信のセットのための第1のリソースセットと関連付けられる第1の電力パラメータセットを特定することができ、第1のワイヤレス送信のセットは第1の持続時間TTIを有する。ブロック1505の動作は、図1〜図6を参照して説明されたような方法に従って実行されてもよい。いくつかの例では、ブロック1505の動作の態様は、図7〜図10を参照して説明されたような電力パラメータ特定コンポーネントによって実行されてもよい。
【０１２２】
ブロック1510において、UE115は、第2のワイヤレス送信のセットの少なくとも第1のサブセットのための第2のリソースセットを示すシグナリングを受信することができ、第2のワイヤレス送信のセットは第1の持続時間TTIより短い第2の持続時間TTIを有し、第2の電力パラメータセットと関連付けられる第2のリソースセットは、第1の電力パラメータセットと比較して低減された電力をもたらす。ブロック1510の動作は、図1〜図6を参照して説明されたような方法に従って実行されてもよい。いくつかの例では、ブロック1510の動作の態様は、図7〜図10を参照して説明されたようなリソース割振りコンポーネントによって実行されてもよい。
【０１２３】
ブロック1515において、UE115は、第1の電力パラメータセットに従って、第1のリソースセットを使用して第1のワイヤレス送信のセットを送信してもよい。ブロック1515の動作は、図1〜図6を参照して説明されたような方法に従って実行されてもよい。いくつかの例では、ブロック1515の動作の態様は、図7〜図10を参照して説明されたようなトランスミッタによって実行されてもよい。
【０１２４】
ブロック1520において、UE115は、第2の電力パラメータセットに従って、第2のリソースセットを使用して第2のワイヤレス送信のセットの少なくとも第1のサブセットを送信してもよい。ブロック1520の動作は、図1〜図6を参照して説明されたような方法に従って実行されてもよい。いくつかの例では、ブロック1520の動作の態様は、図7〜図10を参照して説明されたようなトランスミッタによって実行されてもよい。
【０１２５】
任意選択のブロック1525において、UE115は、第2のリソースセットと同じサブフレームにおいて、第1の電力パラメータセットに従って第2のワイヤレス送信のセットの第2のサブセットを送信してもよい。ブロック1525の動作は、図1〜図6を参照して説明されたような方法に従って実行されてもよい。いくつかの例では、ブロック1525の動作の態様は、図7〜図10を参照して説明されたようなリソース割振りコンポーネントによって実行されてもよい。
【０１２６】
上で説明された方法、装置、および非一時的コンピュータ可読媒体のいくつかの例はさらに、第2のリソースセットと同じサブフレームにおいて、第1の電力パラメータセットに従って第2のワイヤレス送信のセットの第2のサブセットを送信するためのプロセス、特徴、手段、または命令を含んでもよい。上で説明された方法、装置、および非一時的コンピュータ可読媒体のいくつかの例はさらに、第2の電力パラメータセットを示すシグナリングを受信するためのプロセス、機能、手段、または命令を含んでもよい。上で説明された方法、装置、および非一時的コンピュータ可読媒体のいくつかの例では、シグナリングは、第2の電力パラメータセットを示すセル固有またはUE固有のシグナリングを備える。
【０１２７】
上で説明された方法、装置、および非一時的コンピュータ可読媒体のいくつかの例では、第1のリソースセットは、第1のワイヤレス送信のセットを送信するための利用可能な送信帯域幅の第1のサブバンドの中の周波数リソースを備え、第2のリソースセットは、第1のワイヤレス送信のセットを送信するための、または第2のワイヤレス送信のセットの少なくとも第1のサブセットを送信するための、利用可能な送信帯域幅の第2のサブバンドの中の周波数リソースを備え、第2のサブバンドは第1のサブバンドと異なってもよい。
【０１２８】
上で説明された方法、装置、および非一時的コンピュータ可読媒体のいくつかの例では、第2のリソースセットはさらに、第2の電力パラメータセットを使用して、第1のワイヤレス送信のセットまたは第2のワイヤレス送信のセットの少なくとも第1のサブセットを送信するための、第2のサブバンド内の第1の時間リソースのサブセットを備える。上で説明された方法、装置、および非一時的コンピュータ可読媒体のいくつかの例では、第1の時間リソースのサブセットは、第2の持続時間TTIを有する1つまたは複数のOFDMシンボルまたは1つまたは複数のTTIを備える。上で説明された方法、装置、および非一時的コンピュータ可読媒体のいくつかの例では、第2のリソースセットはさらに、第1のワイヤレス送信のセットまたは第2のワイヤレス送信のセットの少なくとも第1のサブセットを送信するための、第1のサブバンド内の第2の時間リソースのサブセットを備える。
【０１２９】
上で説明された方法、装置、および非一時的コンピュータ可読媒体のいくつかの例はさらに、第2の時間リソースのサブセットと関連付けられる第3の電力パラメータセットを特定するためのプロセス、特徴、手段、または命令を含んでもよい。上で説明された方法、装置、および非一時的コンピュータ可読媒体のいくつかの例では、第1のリソースセットは、利用可能な送信帯域幅の第1のサブバンドおよび第3のサブバンドを備え、確保された第3のリソースセットは、第2のワイヤレス送信のセットの送信のみを送信するのに利用可能であるものとして特定されることがあり、確保された第3のリソースセットは利用可能な送信帯域幅の第4のサブバンドを備える。
【０１３０】
上で説明された方法、装置、および非一時的コンピュータ可読媒体のいくつかの例はさらに、第1のリソースセットおよび第2のリソースセットの少なくとも一部分にわたるCRSリソースを特定し、CRSリソースと重複する第2のリソースセットの部分のための第1の電力パラメータセットおよびCRSリソースと重複しない可能性がある第2のリソースセットの部分のための第2の電力パラメータセットに基づいて、第2のリソースセットのためのTPRを決定するためのプロセス、特徴、手段、または命令を含んでもよい。
【０１３１】
上で説明された方法、装置、および非一時的コンピュータ可読媒体のいくつかの例はさらに、少なくとも第1のリソースセットの第1の部分および第2のリソースセットの第2の部分にわたるリソースの割振りを受信し、第1のリソースセットの第1の部分および第2のリソースセットの第2の部分と関連付けられるDMRSリソースを特定し、第1の電力パラメータセットを使用して送信されている第1のリソースセットと重複するDMRSリソースに基づいて第1のリソースセットのためのTPRを決定し、第2の電力パラメータセットを使用して送信されている第2のリソースセットと重複するDMRSリソースに基づいて第2のリソースセットのためのTPRを決定するためのプロセス、特徴、手段、または命令を含んでもよい。
【０１３２】
上で説明された方法、装置、および非一時的コンピュータ可読媒体のいくつかの例では、第2の電力パラメータセットを特定することは、のうちの1つまたは複数を備える。上で説明された方法、装置、および非一時的コンピュータ可読媒体のいくつかの例はさらに、第1の電力パラメータセットの最大送信電力を特定し、第2の電力パラメータセットに対する最大送信電力に低減を適用するためのプロセス、特徴、手段、または命令を含んでもよい。上で説明された方法、装置、および非一時的コンピュータ可読媒体のいくつかの例はさらに、第1の電力パラメータセットの第1の送信電力を特定し、第2の電力パラメータセットの低減された第2の送信電力をもたらすようにオフセットを第1の送信電力に適用するためのプロセス、特徴、手段、または命令を含んでもよい。上で説明された方法、装置、および非一時的コンピュータ可読媒体のいくつかの例はさらに、第1のリソースセットのための開ループまたは閉ループ電力制御パラメータの第1のセットを特定し、第2のリソースセットのための開ループまたは閉ループ電力制御パラメータの第2のセットを特定し、開ループまたは閉ループ電力制御パラメータの第2のセットを第2のリソースセットに適用するためのプロセス、特徴、手段、または命令を含んでもよい。上で説明された方法、装置、および非一時的コンピュータ可読媒体のいくつかの例はさらに、第1のリソースセットおよび第2のリソースセットのための最大PSDを特定し、最大PSD以内のPSDをもたらすように第1のリソースセットのための第1の送信電力および第2のリソースセットのための第2の送信電力を選択するためのプロセス、特徴、手段、または命令を含んでもよい。
【０１３３】
上で説明された方法、装置、および非一時的コンピュータ可読媒体のいくつかの例では、第1のワイヤレス送信のセットはUEから基地局への第1のアップリンク送信を備え、第1のリソースセットは、第1のアップリンク送信が第1の電力パラメータセットを排他的に使用して送信されてもよいことをもたらすように選択されてもよい。上で説明された方法、装置、および非一時的コンピュータ可読媒体のいくつかの例では、第1のワイヤレス送信のセットはUEから基地局への第1のアップリンク送信を備え、第1のアップリンク送信のためのワイヤレスリソースは第1のリソースセットと第2のリソースセットとの両方から選択されることがあり、第2のリソースセットの第2の送信電力を決定するために、オフセットが第1のリソースセットの第1の送信電力に適用されることがある。
【０１３４】
上で説明された方法、装置、および非一時的コンピュータ可読媒体のいくつかの例はさらに、第1のリソースセットおよび第2のリソースセットを使用して第1のワイヤレス送信のセットを送信し、第2のワイヤレス送信のセットと関連付けられるデータが送信されるべきであることを特定し、第2のワイヤレス送信のセットの第2の送信を用いて第1のワイヤレス送信のセットをパンクチャリングするためのプロセス、特徴、手段、または命令を含んでもよい。
【０１３５】
ワイヤレス通信の方法が説明される。本方法は、第1のワイヤレス送信のセットのための第1のリソースセットと関連付けられる第1の電力パラメータセットを特定するステップであって、第1のワイヤレス送信のセットが第1の持続時間TTIを有する、ステップと、第2のワイヤレス送信のセットのための第2のリソースセットと関連付けられる第2の電力パラメータセットを特定するステップであって、第2のワイヤレス送信のセットが第1の持続時間TTIより短い第2の持続時間TTIを有し、第2の電力パラメータセットが第1の電力パラメータセットと比較して低減された電力をもたらす、ステップと、第1の電力パラメータセットおよび第2の電力パラメータセットを示すシグナリングをUEに送信するステップとを含んでもよい。
【０１３６】
ワイヤレス通信のための装置が説明される。本装置は、第1のワイヤレス送信のセットのための第1のリソースセットと関連付けられる第1の電力パラメータセットを特定するための手段であって、第1のワイヤレス送信のセットが第1の持続時間TTIを有する、手段と、第2のワイヤレス送信のセットのための第2のリソースセットと関連付けられる第2の電力パラメータセットを特定するための手段であって、第2のワイヤレス送信のセットが第1の持続時間TTIより短い第2の持続時間TTIを有し、第2の電力パラメータセットが第1の電力パラメータセットと比較して低減された電力をもたらす、手段と、第1の電力パラメータセットおよび第2の電力パラメータセットを示すシグナリングをUEに送信するための手段とを含んでもよい。
【０１３７】
ワイヤレス通信のための別の装置が説明される。本装置は、プロセッサと、プロセッサと電子通信しているメモリと、メモリに記憶された命令とを含んでもよい。命令は、プロセッサに、第1のワイヤレス送信のセットのための第1のリソースセットと関連付けられる第1の電力パラメータセットを特定させ、第1のワイヤレス送信のセットが第1の持続時間TTIを有し、第2のワイヤレス送信のセットのための第2のリソースセットと関連付けられる第2の電力パラメータセットを特定させ、第2のワイヤレス送信のセットが第1の持続時間TTIより短い第2の持続時間TTIを有し、第2の電力パラメータセットが第1の電力パラメータセットと比較して低減された電力をもたらし、第1の電力パラメータセットおよび第2の電力パラメータセットを示すシグナリングをUEへ送信させるように動作可能であってもよい。
【０１３８】
ワイヤレス通信のための非一時的コンピュータ可読媒体が説明される。非一時的コンピュータ可読媒体は、プロセッサに、第1のワイヤレス送信のセットのための第1のリソースセットと関連付けられる第1の電力パラメータセットを特定させ、第1のワイヤレス送信のセットが第1の持続時間TTIを有し、第2のワイヤレス送信のセットのための第2のリソースセットと関連付けられる第2の電力パラメータセットを特定させ、第2のワイヤレス送信のセットが第1の持続時間TTIより短い第2の持続時間TTIを有し、第2の電力パラメータセットが第1の電力パラメータセットと比較して低減された電力をもたらし、第1の電力パラメータセットおよび第2の電力パラメータセットを示すシグナリングをUEへ送信させるように動作可能である、命令を含んでもよい。
【０１３９】
上で説明された方法、装置、および非一時的コンピュータ可読媒体のいくつかの例はさらに、1つまたは複数の近隣の基地局とともに、干渉を軽減して第2のワイヤレス送信のセットの1つまたは複数の送信の受信の成功の可能性を高めるために、第2の電力パラメータセットのうちの1つまたは複数を調整するためのプロセス、特徴、手段、または命令を含んでもよい。上で説明された方法、装置、および非一時的コンピュータ可読媒体のいくつかの例では、第2の電力パラメータセットのうちの1つまたは複数を調整することは、第2のワイヤレス送信のセットのために利用可能であってもよい周波数領域リソースのサブセットを調整することを備える。
【０１４０】
上で説明された方法、装置、および非一時的コンピュータ可読媒体のいくつかの例では、周波数領域リソースのサブセットが第2のワイヤレス送信のセットのために確保されてもよい。上で説明された方法、装置、および非一時的コンピュータ可読媒体のいくつかの例では、周波数領域リソースのサブセットはRBのセットを備える。
【０１４１】
上で説明された方法、装置、および非一時的コンピュータ可読媒体のいくつかの例では、第2の電力パラメータセットのうちの1つまたは複数を調整することは、第2のワイヤレス送信のセットのために利用可能であってもよい時間領域リソースのサブセットを調整することを備える。上で説明された方法、装置、および非一時的コンピュータ可読媒体のいくつかの例では、時間領域リソースのサブセットが第2のワイヤレス送信のセットのために確保されてもよい。上で説明された方法、装置、および非一時的コンピュータ可読媒体のいくつかの例では、時間領域リソースのサブセットは、第2の持続時間TTIを有するOFDMシンボルのセットまたは1つまたは複数のTTIを備える。
【０１４２】
上で説明された方法、装置、および非一時的コンピュータ可読媒体のいくつかの例では、第2の電力パラメータセットのうちの1つまたは複数を調整することは、第1の基地局および近隣の基地局のうちの1つまたは複数のビーム方向が異なるビーム方向となるように調整することを備える。
【０１４３】
上で説明された方法、装置、および非一時的コンピュータ可読媒体のいくつかの例では、第2の電力パラメータセットのうちの1つまたは複数を調整することは、UEと第1の基地局との間の第2のワイヤレス送信のセットのアップリンク送信およびダウンリンク送信のためのアップリンクリソースとダウンリンクリソースのペアを調整することを備える。上で説明された方法、装置、および非一時的コンピュータ可読媒体のいくつかの例では、第2の電力パラメータセットのうちの1つまたは複数を調整することは、第2のリソースセットのための低減された送信電力を調整することを備える。
【０１４４】
上で説明された方法、装置、および非一時的コンピュータ可読媒体のいくつかの例はさらに、UEから1つまたは複数のCSI報告を受信し、第3のリソースセットに対する干渉の量が閾値を超えることを判定し、第2の電力パラメータセットを第3のリソースセットに適用するためのプロセス、特徴、手段、または命令を含んでもよい。
【０１４５】
図16は、本開示の態様による、低レイテンシワイヤレス通信のためのリソース管理の方法1600を示すフローチャートを示す。方法1600の動作は、本明細書で説明されるように、UE115またはそのコンポーネントによって実施されてもよい。たとえば、方法1600の動作は、図7〜図10を参照して説明されたように、UEリソースマネージャによって実行されてもよい。いくつかの例では、UE115は、以下で説明される機能を実行するようにデバイスの機能要素を制御するためのコードのセットを実行してもよい。加えてまたは代わりに、UE115は、以下で説明される機能の態様を、専用ハードウェアを使用して実行してもよい。
【０１４６】
ブロック1605において、UE115は、第1のワイヤレス送信のセットのための第1のリソースセットと関連付けられる第1の電力パラメータセットを特定することができ、第1のワイヤレス送信のセットは第1の持続時間TTIを有する。ブロック1605の動作は、図1〜図6を参照して説明されたような方法に従って実行されてもよい。いくつかの例では、ブロック1605の動作の態様は、図7〜図10を参照して説明されたような電力パラメータ特定コンポーネントによって実行されてもよい。
【０１４７】
ブロック1610において、UE115は、第2のワイヤレス送信のセットの少なくとも第1のサブセットのための第2のリソースセットを示すシグナリングを受信することができ、第2のワイヤレス送信のセットは第1の持続時間TTIより短い第2の持続時間TTIを有し、第2の電力パラメータセットと関連付けられる第2のリソースセットは、第1の電力パラメータセットと比較して低減された電力をもたらす。ブロック1610の動作は、図1〜図6を参照して説明されたような方法に従って実行されてもよい。いくつかの例では、ブロック1610の動作の態様は、図7〜図10を参照して説明されたようなリソース割振りコンポーネントによって実行されてもよい。
【０１４８】
ブロック1615において、UE115は、第1の電力パラメータセットに従って、第1のリソースセットを使用して第1のワイヤレス送信のセットを送信してもよい。ブロック1615の動作は、図1〜図6を参照して説明されたような方法に従って実行されてもよい。いくつかの例では、ブロック1615の動作の態様は、図7〜図10を参照して説明されたようなトランスミッタによって実行されてもよい。
【０１４９】
ブロック1620において、UE115は、第2の電力パラメータセットに従って、第2のリソースセットを使用して第2のワイヤレス送信のセットの少なくとも第1のサブセットを送信してもよい。ブロック1620の動作は、図1〜図6を参照して説明されたような方法に従って実行されてもよい。いくつかの例では、ブロック1620の動作の態様は、図7〜図10を参照して説明されたようなトランスミッタによって実行されてもよい。
【０１５０】
ブロック1625において、UE115は、第1のリソースセットおよび第2のリソースセットを使用して、第1のワイヤレス送信のセットを送信してもよい。ブロック1625の動作は、図1〜図6を参照して説明されたような方法に従って実行されてもよい。いくつかの例では、ブロック1625の動作の態様は、図7〜図10を参照して説明されたようなリソース割振りコンポーネントによって実行されてもよい。
【０１５１】
ブロック1630において、UE115は、第2のワイヤレス送信のセットと関連付けられるデータが送信されるべきであることを特定してもよい。ブロック1630の動作は、図1〜図6を参照して説明されたような方法に従って実行されてもよい。いくつかの例では、ブロック1630の動作の態様は、図7〜図10を参照して説明されたようなリソース割振りコンポーネントによって実行されてもよい。
【０１５２】
ブロック1635において、UE115は、第2のワイヤレス送信のセットの第2の送信を用いて、第1のワイヤレス送信のセットをパンクチャリングしてもよい。ブロック1635の動作は、図1〜図6を参照して説明されたような方法に従って実行されてもよい。いくつかの例では、ブロック1635の動作の態様は、図7〜図10を参照して説明されたようなリソース割振りコンポーネントによって実行されてもよい。
【０１５３】
図17は、本開示の態様による、低レイテンシワイヤレス通信のためのリソース管理の方法1700を示すフローチャートを示す。方法1700の動作は、本明細書で説明されるような基地局105またはそのコンポーネントによって実施されてもよい。たとえば、方法1700の動作は、図11〜図14を参照して説明されたように、基地局リソースマネージャによって実行されてもよい。いくつかの例では、基地局105は、以下で説明される機能を実行するようにデバイスの機能要素を制御するためのコードのセットを実行してもよい。加えてまたは代わりに、基地局105は、専用ハードウェアを使用して以下で説明される機能の態様を実行してもよい。
【０１５４】
ブロック1705において、基地局105は、第1のワイヤレス送信のセットのための第1のリソースセットと関連付けられる第1の電力パラメータセットを特定することができ、第1のワイヤレス送信のセットは第1の持続時間TTIを有する。ブロック1705の動作は、図1〜図6を参照して説明されたような方法に従って実行されてもよい。いくつかの例では、ブロック1705の動作の態様は、図11〜図14を参照して説明されたようなリソース割振りコンポーネントによって実行されてもよい。
【０１５５】
ブロック1710において、基地局105は、第2のワイヤレス送信のセットのための第2のリソースセットと関連付けられる第2の電力パラメータセットを特定することができ、第2のワイヤレス送信のセットは第1の持続時間TTIより短い第2の持続時間TTIを有し、第2の電力パラメータセットは、第1の電力パラメータセットと比較して低減された電力をもたらす。ブロック1710の動作は、図1〜図6を参照して説明されたような方法に従って実行されてもよい。いくつかの例では、ブロック1710の動作の態様は、図11〜図14を参照して説明されたようなリソース割振りコンポーネントによって実行されてもよい。
【０１５６】
ブロック1715において、基地局105は、第1の電力パラメータセットおよび第2の電力パラメータセットを示すシグナリングをUEに送信してもよい。ブロック1715の動作は、図1〜図6を参照して説明されたような方法に従って実行されてもよい。いくつかの例では、ブロック1715の動作の態様は、図11〜図14を参照して説明されたような電力パラメータ特定コンポーネントによって実行されてもよい。
【０１５７】
図18は、本開示の態様による、低レイテンシワイヤレス通信のためのリソース管理の方法1800を示すフローチャートを示す。方法1800の動作は、本明細書で説明されるような基地局105またはそのコンポーネントによって実施されてもよい。たとえば、方法1800の動作は、図11〜図14を参照して説明されたように、基地局リソースマネージャによって実行されてもよい。いくつかの例では、基地局105は、以下で説明される機能を実行するようにデバイスの機能要素を制御するためのコードのセットを実行してもよい。加えてまたは代わりに、基地局105は、専用ハードウェアを使用して以下で説明される機能の態様を実行してもよい。
【０１５８】
ブロック1805において、基地局105は、第1のワイヤレス送信のセットのための第1のリソースセットと関連付けられる第1の電力パラメータセットを特定することができ、第1のワイヤレス送信のセットは第1の持続時間TTIを有する。ブロック1805の動作は、図1〜図6を参照して説明されたような方法に従って実行されてもよい。いくつかの例では、ブロック1805の動作の態様は、図11〜図14を参照して説明されたようなリソース割振りコンポーネントによって実行されてもよい。
【０１５９】
ブロック1810において、基地局105は、第2のワイヤレス送信のセットのための第2のリソースセットと関連付けられる第2の電力パラメータセットを特定することができ、第2のワイヤレス送信のセットは第1の持続時間TTIより短い第2の持続時間TTIを有し、第2の電力パラメータセットは、第1の電力パラメータセットと比較して低減された電力をもたらす。ブロック1810の動作は、図1〜図6を参照して説明されたような方法に従って実行されてもよい。いくつかの例では、ブロック1810の動作の態様は、図11〜図14を参照して説明されたようなリソース割振りコンポーネントによって実行されてもよい。
【０１６０】
ブロック1815において、基地局105は、第1の電力パラメータセットおよび第2の電力パラメータセットを示すシグナリングをUEに送信してもよい。ブロック1815の動作は、図1〜図6を参照して説明されたような方法に従って実行されてもよい。いくつかの例では、ブロック1815の動作の態様は、図11〜図14を参照して説明されたような電力パラメータ特定コンポーネントによって実行されてもよい。
【０１６１】
ブロック1820において、基地局105は、1つまたは複数の近隣の基地局とともに、干渉を軽減して第2のワイヤレス送信のセットの1つまたは複数の送信の受信の成功の可能性を高めるために、第2の電力パラメータセットのうちの1つまたは複数を調整してもよい。ブロック1820の動作は、図1〜図6を参照して説明されたような方法に従って実行されてもよい。いくつかの例では、ブロック1820の動作の態様は、図11〜図14を参照して説明されたようなセル間調整コンポーネントによって実行されてもよい。
【０１６２】
図19は、本開示の態様による、低レイテンシワイヤレス通信のためのリソース管理の方法1900を示すフローチャートを示す。方法1900の動作は、本明細書で説明されるような基地局105またはそのコンポーネントによって実施されてもよい。たとえば、方法1900の動作は、図11〜図14を参照して説明されたように、基地局リソースマネージャによって実行されてもよい。いくつかの例では、基地局105は、以下で説明される機能を実行するようにデバイスの機能要素を制御するためのコードのセットを実行してもよい。加えてまたは代わりに、基地局105は、専用ハードウェアを使用して、以下で説明される機能の態様を実行してもよい。
【０１６３】
ブロック1905において、基地局105は、第1のワイヤレス送信のセットのための第1のリソースセットと関連付けられる第1の電力パラメータセットを特定することができ、第1のワイヤレス送信のセットは第1の持続時間TTIを有する。ブロック1905の動作は、図1〜図6を参照して説明されたような方法に従って実行されてもよい。いくつかの例では、ブロック1905の動作の態様は、図11〜図14を参照して説明されたようなリソース割振りコンポーネントによって実行されてもよい。
【０１６４】
ブロック1910において、基地局105は、第2のワイヤレス送信のセットのための第2のリソースセットと関連付けられる第2の電力パラメータセットを特定することができ、第2のワイヤレス送信のセットは第1の持続時間TTIより短い第2の持続時間TTIを有し、第2の電力パラメータセットは、第1の電力パラメータセットと比較して低減された電力をもたらす。ブロック1910の動作は、図1〜図6を参照して説明されたような方法に従って実行されてもよい。いくつかの例では、ブロック1910の動作の態様は、図11〜図14を参照して説明されたようなリソース割振りコンポーネントによって実行されてもよい。
【０１６５】
ブロック1915において、基地局105は、第1の電力パラメータセットおよび第2の電力パラメータセットを示すシグナリングをUEに送信してもよい。ブロック1915の動作は、図1〜図6を参照して説明されたような方法に従って実行されてもよい。いくつかの例では、ブロック1915の動作の態様は、図11〜図14を参照して説明されたような電力パラメータ特定コンポーネントによって実行されてもよい。
【０１６６】
ブロック1920において、基地局105はUEから1つまたは複数のCSI報告を受信してもよい。ブロック1920の動作は、図1〜図6を参照して説明されたような方法に従って実行されてもよい。いくつかの例では、ブロック1920の動作の態様は、図11〜図14を参照して説明されたように、干渉特定コンポーネントによって実行されてもよい。
【０１６７】
ブロック1925において、基地局105は、第3のリソースセットに対する干渉の量が閾値を超えることを判定してもよい。ブロック1925の動作は、図1〜図6を参照して説明されたような方法に従って実行されてもよい。いくつかの例では、ブロック1925の動作の態様は、図11〜図14を参照して説明されたように、干渉特定コンポーネントによって実行されてもよい。
【０１６８】
ブロック1930において、基地局105は、第2の電力パラメータセットを第3のリソースセットに適用してもよい。いくつかの場合、基地局および/または1つまたは複数の近隣の基地局(協調している場合)は、第2の電力パラメータセットに従って、送信電力またはリソース割当てを修正してもよい。ブロック1930の動作は、図1〜図6を参照して説明されたような方法に従って実行されてもよい。いくつかの例では、ブロック1930の動作の態様は、図11〜図14を参照して説明されたような電力パラメータ特定コンポーネントによって実行されてもよい。
【０１６９】
いくつかの例では、説明される方法のうちの2つ以上からの態様が組み合わされることがある。説明される方法は例示的な実装形態にすぎず、説明される方法の動作は、他の実装形態が可能であるように再構成され、またはそうでなければ修正されてもよいことに留意されたい。
【０１７０】
本明細書で説明された技法は、符号分割多元接続(CDMA)システム、時分割多元接続(TDMA)システム、周波数分割多元接続(FDMA)システム、直交周波数分割多元接続(OFDMA)システム、SC-FDMAシステム、および他のシステムなどの異なるワイヤレス通信システムに使用されてもよい。「システム」および「ネットワーク」という用語は、しばしば互換的に使用される。CDMAシステムは、CDMA2000、Universal Terrestrial Radio Access (UTRA)などの無線技術を実装してもよい。CDMA2000は、IS-2000規格、IS-95規格、およびIS-856規格を対象とする。IS-2000リリースは、通常、CDMA2000 1X、1Xなどと呼ばれることがある。IS-856(TIA-856)は、通常、CDMA2000 1xEV-DO、High Rate Packet Data(HRPD)などと呼ばれる。UTRAは、Wideband CDMA(WCDMA(登録商標))およびCDMAの他の変形を含む。TDMAシステムは、Global System for Mobile communications(GSM(登録商標))などの無線技術を実装してもよい。
【０１７１】
OFDMAシステムは、Ultra Mobile Broadband(UMB)、Evolved UTRA(E-UTRA)、米国電気電子技術者協会(IEEE)802.11(Wi-Fi)、IEEE802.16(WiMAX)、IEEE802.20、Flash-OFDMなどの無線技術を実装してもよい。UTRAおよびE-UTRAは、Universal Mobile Telecommunications system(UMTS)の一部である。3GPP Long Term Evolution(LTE)およびLTE-Advanced(LTE-A)は、E-UTRAを使用するUMTSのリリースである。UTRA、E-UTRA、UMTS、LTE、LTE-A、NR、およびGSM(登録商標)は、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明される技法は、上で言及されたシステムおよび無線技術ならびに他のシステムおよび無線技術に使用されてもよい。LTEまたはNRシステムの態様が例として説明されることがあり、説明の大部分においてLTEまたはNR用語が使用されることがあるが、本明細書で説明される技法はLTEまたはNR適用例以外に適用可能である。
【０１７２】
本明細書で説明されたネットワークを含むLTE/LTE-Aネットワークでは、evolved Node B(eNB)という用語は、一般に、基地局を記述するために使用されてもよい。本明細書で説明される1つまたは複数のワイヤレス通信システムは、異なるタイプのevolved node B(eNB)が異なる地理的領域にカバレッジを与える異種LTE/LTE-AネットワークまたはNRネットワークを含んでもよい。たとえば、各eNB、gNB、または基地局は、マクロセル、スモールセル、または他のタイプのセルのための通信カバレッジを提供してもよい。「セル」という用語は、文脈に応じて、基地局、基地局と関連付けられるキャリアもしくはコンポーネントキャリア、またはキャリアもしくは基地局のカバレッジエリア(たとえば、セクタなど)を表すために使用されてもよい。
【０１７３】
基地局は、基地トランシーバ局、無線基地局、アクセスポイント、無線トランシーバ、NodeB、eNodeB(eNB)、次世代NodeB(gNB)、Home NodeB、Home eNodeB、もしくは何らかの他の好適な用語を含むことがあり、またはそのように当業者によって呼ばれることがある。基地局のための地理的カバレッジエリアは、カバレッジエリアの一部分のみを構成するセクタに分割されてもよい。本明細書で説明される1つまたは複数のワイヤレス通信システムは、異なるタイプの基地局(たとえば、マクロ基地局またはスモールセル基地局)を含んでもよい。本明細書で説明されるUEは、マクロeNB、スモールセルeNB、gNB、リレー基地局などを含む異なるタイプの基地局およびネットワーク機器と通信することが可能であってもよい。異なる技術のための重複する地理的カバレッジエリアがあってもよい。
【０１７４】
マクロセルは一般に、比較的大きい地理的エリア(たとえば、半径数キロメートル)をカバーし、ネットワークプロバイダのサービスに加入しているUEによる無制限アクセスを可能にしてもよい。スモールセルは、マクロセルと比較して、同じまたは異なる(たとえば、免許、免許不要などの)周波数帯域内でマクロセルとして動作してもよい低電力基地局である。スモールセルは、異なる例による、ピコセル、フェムトセル、およびマイクロセルを含んでもよい。ピコセルは、たとえば小さい地理的エリアをカバーすることができ、ネットワークプロバイダのサービスに加入しているUEによる無制限アクセスを可能にしてもよい。フェムトセルも、小さい地理的エリア(たとえば、自宅)をカバーすることができ、フェムトセルとの関連付けを有するUE(たとえば、限定加入者グループ(CSG)の中のUE、自宅の中のユーザ用のUEなど)による制限付きアクセスを提供してもよい。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数の(たとえば、2つ、3つ、4つなどの)セル(たとえば、コンポーネントキャリア)をサポートすることができる。
【０１７５】
本明細書で説明される1つまたは複数のワイヤレス通信システムは、同期動作または非同期動作をサポートしてもよい。同期動作の場合、基地局は、同様のフレームタイミングを有することがあり、異なる基地局からの送信は、時間的にほぼ整合されることがある。非同期動作の場合、基地局は、異なるフレームタイミングを有することがあり、異なる基地局からの送信は、時間的に整合されないことがある。本明細書で説明される技法は、同期動作または非同期動作のいずれでも使用されてもよい。
【０１７６】
本明細書で説明されるダウンリンク送信は、順方向リンク送信と呼ばれることもあり、アップリンク送信は、逆方向リンク送信と呼ばれることもある。たとえば、図1および図2を参照して説明されたようなワイヤレス通信システム100および200を含む、本明細書で説明される各通信リンクは、1つまたは複数のキャリアを含むことがあり、各キャリアは、複数のサブキャリア(たとえば、異なる周波数の波形信号)から構成される信号であってもよい。
【０１７７】
添付の図面に関して本明細書に記載された説明は、例示的な構成を説明しており、実装されてもよいかまたは特許請求の範囲内に入るすべての例を表すとは限らない。本明細書で使用される「例示的」という用語は、「例、事例、または例示として働く」ことを意味し、「好ましい」または「他の例よりも有利な」を意味するものではない。発明を実施するための形態は、説明された技法の理解を与えるための具体的な詳細を含む。しかしながら、これらの技法は、これらの具体的な詳細を伴うことなく実践されてもよい。いくつかの事例では、説明された例の概念を不明瞭にすることを回避するために、よく知られている構造およびデバイスがブロック図の形態で示される。
【０１７８】
添付の図面では、類似のコンポーネントまたは特徴は、同じ参照ラベルを有してもよい。さらに、同じタイプの異なるコンポーネントが、参照ラベルの後に、ダッシュおよび類似のコンポーネントを区別する第2のラベルを続けることによって区別されてもよい。第1の参照ラベルのみが本明細書で使用される場合、説明は、第2の参照ラベルにかかわらず、同じ第1の参照ラベルを有する類似のコンポーネントのいずれにも適用可能である。
【０１７９】
本明細書で説明される情報および信号は、多種多様な技術および技法のいずれかを使用して表されてもよい。たとえば、上記の説明全体にわたって言及されてもよいデータ、命令、コマンド、情報、信号、ビット、シンボル、およびチップは、電圧、電流、電磁波、磁場もしくは磁性粒子、光場もしくは光学粒子、またはそれらの任意の組合せによって表されてもよい。
【０１８０】
本明細書の開示に関して説明される異なる例示的なブロックおよびモジュールは、汎用プロセッサ、DSP、ASIC、FPGAもしくは他のプログラマブル論理デバイス、個別ゲートもしくはトランジスタ論理、個別ハードウェアコンポーネント、または本明細書で説明された機能を実行するように設計されたそれらの任意の組合せを用いて実装または実行されてもよい。汎用プロセッサはマイクロプロセッサであってもよいが、代替として、プロセッサは任意の従来のプロセッサ、コントローラ、マイクロコントローラ、またはステートマシンであってもよい。プロセッサはまた、コンピューティングデバイスの組合せ、(たとえば、DSPとマイクロプロセッサとの組合せ、複数のマイクロプロセッサ、DSPコアと連携した1つもしくは複数のマイクロプロセッサ、または任意の他のそのような構成)としても実装されてもよい。
【０１８１】
本明細書で説明された機能は、ハードウェア、プロセッサによって実行されるソフトウェア、ファームウェア、またはそれらの任意の組合せとして実装されてもよい。プロセッサによって実行されるソフトウェアで実装される場合、機能は、1つまたは複数の命令またはコードとして、コンピュータ可読媒体上に記憶され、またはコンピュータ可読媒体を介して送信されてもよい。他の例および実装形態は、本開示および特許請求の範囲の範囲および趣旨内にある。たとえば、ソフトウェアの性質に起因して、上で説明された機能は、プロセッサ、ハードウェア、ファームウェア、ハードワイヤリング、またはこれらのうちのいずれかの組合せによって実行されるソフトウェアを使用して実装されてもよい。機能を実装する特徴は、機能の部分が異なる物理的位置において実装されるように分散されることを含め異なる場所に物理的に位置してもよい。特許請求の範囲内を含む、本明細書で使用される「および/または」という用語は、2つ以上の項目の列挙において使用されるとき、列挙される項目のうちのいずれか1つが単独で利用されてもよいこと、または列挙される項目のうちの2つ以上の任意の組合せが利用されてもよいことを意味する。たとえば、組成物がコンポーネントA、B、および/またはCを含むものとして説明される場合、組成物は、Aのみ、Bのみ、Cのみ、AとBの組合せ、AとCの組合せ、BとCの組合せ、またはA、B、およびCの組合せを含んでもよい。また、特許請求の範囲内を含め本明細書で使用される場合、項目のリスト(たとえば、「のうちの少なくとも1つ」または「のうちの1つまたは複数」などの句で終わる項目のリスト)において使用される「または」は、たとえば項目のリスト「のうちの少なくとも1つ」を指す句が単一のメンバーを含むそれらの項目の任意の組合せを指すような包括的リストを示す。例として、「A、B、またはCのうちの少なくとも1つ」は、A、B、C、A-B、A-C、B-C、およびA-B-C、ならびに複数の同じ要素を有する任意の組合せ(たとえば、A-A、A-A-A、A-A-B、A-A-C、A-B-B、A-C-C、B-B、B-B-B、B-B-C、C-C、およびC-C-C、または任意の他の順序のA、B、およびC)を包含するものとする。
【０１８２】
本明細書で使用される「に基づいて」という句は、条件の閉集合を指すものと解釈されるべきではない。たとえば、「条件Aに基づく」ものとして説明される例示的な特徴は、本開示の範囲から逸脱することなく、条件Aと条件Bとの両方に基づくことがある。言い換えると、本明細書で使用される「に基づいて」という句は、「に少なくとも部分的に基づいて」という句と同じように解釈されるものとする。
【０１８３】
コンピュータ可読媒体は、非一時的コンピュータ記憶媒体と、ある場所から別の場所へのコンピュータプログラムの転送を容易にする任意の媒体を含む通信媒体との両方を含む。非一時的記憶媒体は、汎用コンピュータまたは専用コンピュータによってアクセスされてもよい任意の利用可能な媒体であってもよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは命令またはデータ構造の形態の所望のプログラムコード手段を搬送または記憶するために使用されることが可能であり、汎用もしくは専用コンピュータまたは汎用もしくは専用プロセッサによってアクセスされることが可能である任意の他の非一時的媒体を備えてもよい。また、いかなる接続も適切にコンピュータ可読媒体と呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピーディスク(disk)およびBlu-ray(登録商標)ディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【０１８４】
本明細書の説明は、当業者が本開示を作成または使用することを可能にするために提供される。本開示に対する異なる修正は、当業者に容易に明らかになり、本明細書で定義された一般原理は、本開示の範囲から逸脱することなく他の変形形態に適用されてもよい。したがって、本開示は、本明細書で説明された例および設計に限定されず、本明細書で開示された原理および新規の特徴と一致する最も広い範囲を与えられるべきである。
【符号の説明】
【０１８５】
105  基地局
110  カバレッジエリア
115  UE
125  通信リンク
130  コアネットワーク
132  バックホールリンク
134  バックホールリンク
205  アップリンクキャリア
210  サブフレーム
215  ダウンリンクキャリア
220  リンク
225  スロット0
230  スロット1
235  TTI-0
240  TTI-1
245  TTI-2
250  ビーム
405  サブバンド1
410  サブバンド2
415  サブバンド3
420  サブバンド4
705  ワイヤレスデバイス
710  レシーバ
715  UEリソースマネージャ
720  トランスミッタ
805  ワイヤレスデバイス
810  レシーバ
815  UEリソースマネージャ
820  トランスミッタ
825  電力パラメータ特定コンポーネント
830  リソース割振りコンポーネント
915  UEリソースマネージャ
920  電力パラメータ特定コンポーネント
925  リソース割振りコンポーネント
930  サブバンド特定コンポーネント
935  時間リソース特定コンポーネント
940  パイロット信号コンポーネント
1005  デバイス
1010  バス
1015  UEリソースマネージャ
1020  プロセッサ
1030  ソフトウェア
1035  トランシーバ
1040  アンテナ
1045  I/Oコントローラ
1105  ワイヤレスデバイス
1110  レシーバ
1115  基地局リソースマネージャ
1120  トランスミッタ
1205  ワイヤレスデバイス
1210  レシーバ
1215  基地局リソースマネージャ
1220  トランスミッタ
1225  リソース割振りコンポーネント
1230  電力パラメータ特定コンポーネント
1315  基地局リソースマネージャ
1320  リソース割振りコンポーネント
1325  電力パラメータ特定コンポーネント
1330  セル間調整コンポーネント
1335  サブバンド特定コンポーネント
1340  時間リソース特定コンポーネント
1345  ビームフォーミングコンポーネント
1350  干渉特定コンポーネント
1410  バス
1415  基地局リソースマネージャ
1420  プロセッサ
1425  メモリ
1430  ソフトウェア
1435  トランシーバ
1440  アンテナ
1445  ネットワーク通信マネージャ
1450  基地局通信マネージャ
【図１】
2020505875.tif 000003
【図２】
2020505875.tif 000004
【図３】
2020505875.tif 000005
【図４】
2020505875.tif 000006
【図５】
2020505875.tif 000007
【図６】
2020505875.tif 000008
【図７】
2020505875.tif 000009
【図８】
2020505875.tif 000010
【図９】
2020505875.tif 000011
【図１０】
2020505875.tif 000012
【図１１】
2020505875.tif 000013
【図１２】
2020505875.tif 000014
【図１３】
2020505875.tif 000015
【図１４】
2020505875.tif 000016
【図１５】
2020505875.tif 000017
【図１６】
2020505875.tif 000018
【図１７】
2020505875.tif 000019
【図１８】
2020505875.tif 000020
【図１９】
2020505875.tif 000021
【国際調査報告】
2020505875.tif 000022
2020505875.tif 000023